(57)【要約】  セルの測定を効率的に行う端末装置、基地局装置、通信方法および集積回路に関する技術を提供すること。基地局装置は、端末装置に対し、ＲＳＳＩ報告に関する情報を含む報告設定と、端末装置によってＲＳＳＩ測定に適切な周波数とみなされる一つまたは複数の周波数を示す測定対象と、報告設定と測定対象をリンクする測定識別子を通知し、端末装置は、設定されたそれぞれの測定識別子に対して、関連する報告設定にＲＳＳＩ報告に関する情報が含まれている場合、報告設定に関連する測定対象で示される一つまたは複数の周波数を、ＲＳＳＩ測定に適切な周波数とみなし、報告設定に基づいて測定報告がトリガされた前記測定識別子に対して、報告するための少なくとも一つのＲＳＳＩ測定に適切な周波数がある場合、関連する周波数において測定したＲＳＳＩ結果を測定結果として報告する。
2017014229.tif 000002
【特許請求の範囲】
【請求項１】
端末装置であって、
設定されたそれぞれの測定識別子に対して、
関連する報告設定にＲＳＳＩ報告に関する情報が含まれている場合、
前記報告設定に関連する測定対象で示される一つまたは複数の周波数において、前記測定対象に含まれる測定タイミング設定を設定し、前記測定タイミング設定で示されるＲＳＳＩ測定に適切なリソースにおいてＲＳＳＩ測定を行う端末装置。
【請求項２】
前記適切なリソースは、前記測定識別子に関連する複数の測定対象によって示される、請求項１に記載の端末装置。
【請求項３】
基地局装置であって、
ＲＳＳＩ報告に関する情報を含む報告設定と、
ＲＳＳＩ測定が行われる適切なリソースを示す測定対象であって、一つまたは複数の周波数に対応する測定タイミング設定を含む前記測定対象と、
前記報告設定と前記測定対象をリンクする測定識別子とを通知する、基地局装置。
【請求項４】
前記適切なリソースは、前記測定識別子に関連する複数の測定対象によって示される、請求項３に記載の基地局装置。
【請求項５】
端末装置の通信方法であって、
設定されたそれぞれの測定識別子に対して、
関連する報告設定にＲＳＳＩ報告に関する情報が含まれている場合、
前記報告設定に関連する測定対象で示される一つまたは複数の周波数において、前記測定対象に含まれる測定タイミング設定を設定するステップと、
前記測定タイミング設定で示されるＲＳＳＩ測定に適切なリソースにおいてＲＳＳＩ測定を行うステップと、
を少なくとも含む通信方法。
【請求項６】
前記適切なリソースは、前記測定識別子に関連する複数の測定対象によって示される、請求項５に記載の通信方法。
【請求項７】
基地局装置の通信方法であって、
ＲＳＳＩ報告に関する情報を含む報告設定と、
ＲＳＳＩ測定が行われる適切なリソースを示す測定対象であって、一つまたは複数の周波数に対応する測定タイミング設定を含む前記測定対象と、
前記報告設定と前記測定対象をリンクする測定識別子とを通知するステップを少なくとも含む通信方法。
【請求項８】
前記適切なリソースは、前記測定識別子に関連する複数の測定対象によって示される、請求項７に記載の通信方法。
【請求項９】
端末装置に搭載される集積回路であって、
設定されたそれぞれの測定識別子に対して、
関連する報告設定にＲＳＳＩ報告に関する情報が含まれている場合、
前記報告設定に関連する測定対象で示される一つまたは複数の周波数において、前記測定対象に含まれる測定タイミング設定を設定する機能と、
前記測定タイミング設定で示されるＲＳＳＩ測定に適切なリソースにおいてＲＳＳＩ測定を行う機能と、を少なくとも前記端末装置に発揮させる集積回路。
【請求項１０】
前記適切なリソースは、前記測定識別子に関連する複数の測定対象によって示される、請求項９に記載の集積回路。
【請求項１１】
基地局装置に搭載される集積回路であって、
ＲＳＳＩ報告に関する情報を含む報告設定と、
ＲＳＳＩ測定が行われる適切なリソースを示す測定対象であって、一つまたは複数の周波数に対応する測定タイミング設定を含む前記測定対象と、
前記報告設定と前記測定対象をリンクする測定識別子とを通知する機能を少なくとも前記基地局装置に発揮させる集積回路。
【請求項１２】
前記適切なリソースは、前記測定識別子に関連する複数の測定対象によって示される、請求項１１に記載の集積回路。
【発明の詳細な説明】
【技術分野】
【０００１】
本発明の実施形態は、セルの測定を効率的に行う端末装置、基地局装置、通信方法および集積回路の技術に関する。
【背景技術】
【０００２】
標準化プロジェクトである３ＧＰＰ（３ｒｄ  Ｇｅｎｅｒａｔｉｏｎ  Ｐａｒｔｎｅｒｓｈｉｐ  Ｐｒｏｊｅｃｔ）において、ＯＦＤＭ（Ｏｒｔｈｏｇｏｎａｌ  Ｆｒｅｑｕｅｎｃｙ−Ｄｉｖｉｓｉｏｎ  Ｍｕｌｔｉｐｌｅｘｉｎｇ）通信方式やリソースブロックと呼ばれる所定の周波数・時間単位の柔軟なスケジューリングの採用によって、高速な通信を実現させたＥＵＴＲＡ（Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ）の標準化が行なわれた。ＥＵＴＲＡは、ＬＴＥ（Ｌｏｎｇ  Ｔｅｒｍ  Ｅｖｏｌｕｔｉｏｎ）とも称する場合がある。【０００３】
３ＧＰＰでは、より高速なデータ転送を実現し、ＬＴＥに対して互換性を持つＬＴＥ  Ａｄｖａｎｃｅｄの検討を行っている（ＬＴＥ−Ａとも称する）。ＬＴＥ  Ａｄｖａｎｃｅｄでは、複数のセルと同時に接続して通信を行う技術（キャリア・アグリゲーション技術、または、デュアルコネクティビティ技術）について説明されている（非特許文献１）。【０００４】
非特許文献２において、ライセンス補助アクセス（LAA: Licensed-Assisted Access)が検討されている。ＬＡＡとは、例えば、無線ＬＡＮ（Local Area Network）などが利用している非ライセンス領域（Unlicensed spectrum）の周波数をＬＴＥとして補助的に用いる技術である。具体的には、端末装置と基地局装置は、ライセンス領域（Licensed spectrum）の周波数のセル（プライマリセル（後述））に加えて、非ライセンス領域の周波数のセル（セカンダリセル）をキャリア・アグリゲーション技術によって追加して通信を行う。非ライセンス領域の周波数とは、例えばＩＳＭ（ISM: Industry-Science-Medical）バンドである。
【先行技術文献】
【非特許文献】
【０００５】
【非特許文献１】3GPP TS 36.300 V12.5.0 (2015-03)http://www.3gpp.org/DynaReport/36300.htm
【非特許文献２】3GPP TR 36.889 V1.0.1 (2015-06)http://www.3gpp.org/DynaReport/36889.htm
【発明の概要】
【発明が解決しようとする課題】
【０００６】
非特許文献２では、基地局装置で未検出の送信ポイント（セル、アクセスポイント）からの端末装置が受ける干渉、いわゆる、隠れ端末（hidden node）問題を解決するため、信号エネルギーの大きさを周波数毎に測定すること（ＲＳＳＩ測定）が記述されている。しかしながら、具体的なＲＳＳＩの測定手順や、報告手順については開示も示唆もされていない。特に、従来の測定方法では測定結果はセル毎に報告されていたため、周波数毎に得られる測定結果（例えばＲＳＳＩ）を報告するための効率的な方法はこれまで考慮されてこなかった。【０００７】
本発明の実施形態は、上述の課題を鑑みてなされたものであり、効率的に測定を行うことが可能な端末装置、基地局装置、通信方法および集積回路に関する技術を提供するものである。
【課題を解決するための手段】
【０００８】
上記の目的を達成するために以下のような手段を講じた。すなわち、本発明の実施形態における端末装置は、端末装置であって、設定されたそれぞれの測定識別子に対して、関連する報告設定にＲＳＳＩ報告に関する情報が含まれている場合、前記報告設定に関連する測定対象で示される一つまたは複数の周波数において、前記測定対象に含まれる測定タイミング設定を設定し、前記測定タイミング設定で示されるＲＳＳＩ測定に適切なリソースにおいてＲＳＳＩ測定を行う。【０００９】
また、本発明の実施形態における基地局装置は、基地局装置であって、ＲＳＳＩ報告に関する情報を含む報告設定と、ＲＳＳＩ測定が行われる適切なリソースを示す測定対象であって、一つまたは複数の周波数に対応する測定タイミング設定を含む前記測定対象と、前記報告設定と前記測定対象をリンクする測定識別子とを通知する。【００１０】
また、本発明の実施形態における端末装置の通信方法は、端末装置の通信方法であって、設定されたそれぞれの測定識別子に対して、関連する報告設定にＲＳＳＩ報告に関する情報が含まれている場合、前記報告設定に関連する測定対象で示される一つまたは複数の周波数において、前記測定対象に含まれる測定タイミング設定を設定するステップと、前記測定タイミング設定で示されるＲＳＳＩ測定に適切なリソースにおいてＲＳＳＩ測定を行うステップと、を少なくとも含む。【００１１】
また、本発明の実施形態における基地局装置の通信方法は、基地局装置の通信方法であって、ＲＳＳＩ報告に関する情報を含む報告設定と、ＲＳＳＩ測定が行われる適切なリソースを示す測定対象であって、一つまたは複数の周波数に対応する測定タイミング設定を含む前記測定対象と、前記報告設定と前記測定対象をリンクする測定識別子とを通知するステップを少なくとも含む。【００１２】
また、本発明の実施形態における端末装置に搭載される集積回路は、端末装置に搭載される集積回路であって、設定されたそれぞれの測定識別子に対して、関連する報告設定にＲＳＳＩ報告に関する情報が含まれている場合、前記報告設定に関連する測定対象で示される一つまたは複数の周波数において、前記測定対象に含まれる測定タイミング設定を設定する機能と、前記測定タイミング設定で示されるＲＳＳＩ測定に適切なリソースにおいてＲＳＳＩ測定を行う機能と、を少なくとも前記端末装置に発揮させる。【００１３】
また、本発明の実施形態における基地局装置に搭載される集積回路は、基地局装置に搭載される集積回路であって、ＲＳＳＩ報告に関する情報を含む報告設定と、ＲＳＳＩ測定が行われる適切なリソースを示す測定対象であって、一つまたは複数の周波数に対応する測定タイミング設定を含む前記測定対象と、前記報告設定と前記測定対象をリンクする測定識別子とを通知する機能を少なくとも前記基地局装置に発揮させる。【００１４】
本明細書では、効率的に測定を行う端末装置、基地局装置、通信方法および集積回路に関する技術という点において各実施形態を開示するが、各実施形態に対して適用可能な通信方式は、ＥＵＴＲＡまたはＡｄｖａｎｃｅｄ  ＥＵＴＲＡのようにＥＵＴＲＡと互換性のある通信方式に限定されるものではない。【００１５】
例えば、本明細書で述べられる技術は、符号分割多重アクセス（ＣＤＭＡ）、時分割多重アクセス（ＴＤＭＡ）、周波数分割多重アクセス（ＦＤＭＡ）、直交ＦＤＭＡ（ＯＦＤＭＡ）、シングルキャリアＦＤＭＡ（ＳＣ−ＦＤＭＡ）、およびその他のアクセス方式等を用いた、種々の通信システムにおいて使用され得る。また、本明細書において、システムとネットワークは同義的に使用され得る。
【発明の効果】
【００１６】
本発明の実施形態によれば、効率的に測定を行うことが可能な端末装置、基地局装置、通信方法および集積回路に関する技術を提供することができる。
【図面の簡単な説明】
【００１７】
【図１】本発明の実施形態に係る端末装置の概略構成の一例を示すブロック図である。
【図２】本発明の実施形態に係る基地局装置の概略構成の一例を示すブロック図である。
【図３】本発明の実施形態に係る測定対象に関するパラメータの例を説明するための図である。
【図４】本発明の実施形態に係る報告設定に関するパラメータの例を説明するための図である。
【図５】本発明の実施形態に係るＲＳＳＩの報告方法の一例について説明するための図である。
【図６】本発明の実施形態に係る報告設定に関するパラメータの別の例を説明するための図である。
【図７】本発明の実施形態に係る測定対象の対応関係を説明するための図である。
【図８】本発明の実施形態に係る測定対象と測定対象リストとの対応関係を説明するための図である。
【図９】本発明の実施形態に係る測定対象に関するパラメータの例を説明するための図である。
【図１０】本発明の実施形態に係る測定対象に関するパラメータの例を説明するための図である。
【図１１】本発明の実施形態に係る端末装置および基地局装置における制御データを扱うプロトコルスタックを示す図である。
【図１２】本発明の実施形態に係る端末装置および基地局装置におけるユーザデータを扱うプロトコルスタックを示す図である。
【図１３】本発明の実施形態に係るディスカバリ信号について説明するための図である。
【発明を実施するための形態】
【００１８】
本発明の各実施形態に関わる技術について以下に簡単に説明する。
【００１９】
[チャネル／シグナル]
ＬＴＥ（ＥＵＴＲＡ）のチャネルは、論理チャネル、トランスポートチャネル、物理チャネルから構成されている。チャネルとは信号の送受信に用いられる媒体を意味し、論理チャネルは、媒体アクセス制御（ＭＡＣ：Medium Access Control）層で送受信されるデータ送信サービスの種類を定義する。トランスポートチャネルは、無線インターフェースで送信されるデータの特性と、そのデータがどのように送信されるのかについて定義する。
【００２０】
物理チャネルは、トランスポートチャネルによって物理層に転送されたデータを運ぶ物理的な媒体を意味する。本発明において、物理チャネルは、信号と同義的に使用され得る。なお、物理チャネルは、ＥＵＴＲＡ（ＬＴＥ、ＬＴＥ−Ａ）を発展させた通信システムにおいて、新規チャネルの追加、または、その構造（構成）やフォーマット形式が変更または追加される可能性があるが、そのような場合でも本発明の各実施形態の説明には影響しない。
【００２１】
ＥＵＴＲＡでは、物理チャネルまたは物理シグナルのスケジューリングについて無線フレームを用いて管理している。１無線フレームは１０ｍｓであり、１無線フレームは１０サブフレームで構成される。さらに、１サブフレームは２スロットで構成される（すなわち、１サブフレームは１ｍｓ、１スロットは０．５ｍｓである）。また、物理チャネルが配置されるスケジューリングの最小単位としてリソースブロックを用いて管理している。リソースブロックとは、周波数軸を複数サブキャリア（例えば１２サブキャリア）の集合で構成される一定の周波数領域と、一定の送信時間間隔（１スロット）で構成される領域で定義される。
【００２２】
ＥＵＴＲＡにおける下りリンクについて説明する。下りリンクの論理チャネルには、報知制御チャネルＢＣＣＨ（Broadcast Control Channel）、ページング制御チャネルＰＣＣＨ（Paging Control Channel）、共通制御チャネルＣＣＣＨ（Common Control Channel）、専用制御チャネルＤＣＣＨ（Dedicated Control Channel）、専用トラフィックチャネルＤＴＣＨ（Dedicated Traffic Channel）が含まれる。
【００２３】
報知制御チャネルＢＣＣＨは、システム情報を報知する（broadcast）ために使用される論理チャネルである。ページング制御チャネルＰＣＣＨは、ページング情報を送信するために使用される論理チャネルであり、ネットワークが端末装置を呼び出すときや、システム情報の更新を通知する場合に使用される。共通制御チャネルＣＣＣＨは、端末装置とネットワーク間で制御情報を送信するために使用される論理チャネルであり、下りリンクにおいて、端末装置の状態がネットワークと無線リソース制御（ＲＲＣ：Radio ResourceControl）接続されている状態（ＲＲＣ接続状態、ＲＲＣ＿ＣＯＮＮＥＣＴＥＤ）に移行していない場合に、基地局装置によって使用される。
【００２４】
専用制御チャネルＤＣＣＨは、１対１（point-to-point）の双方向チャネルであり、端末装置とネットワーク間で個別（dedicated）の制御情報を送信するために使用される論理チャネルである。専用制御チャネルＤＣＣＨは、ＲＲＣ接続状態の端末装置と基地局装置との間において使用されうる。専用トラフィックチャネルＤＴＣＨは、１対１の双方向チャネルであり、ある一つの端末装置専用のチャネルであって、ユーザ情報（ユニキャストデータ）の転送（送信）のために使用される論理チャネルである。
【００２５】
下りリンクのトランスポートチャネルには、報知チャネルＢＣＨ（Broadcast Channel）、ページングチャネルＰＣＨ（Paging Channel）、下りリンク共用チャネルＤＬ−ＳＣＨ（Downlink Shared Channel）が含まれる。
【００２６】
報知チャネルＢＣＨは、固定的かつ事前に定義された形式（Transport format）によって、セル全体に報知される。下りリンク共用チャネルＤＬ−ＳＣＨは、ＨＡＲＱ（HybridAutomatic Repeat Request：ハイブリッド自動再送要求）、動的適応変調（link adaptation）制御、動的または準静的なリソース割り当て、間欠受信（ＤＲＸ：Discontinuous Reception）がサポートされる。また、ページングチャネルＰＣＨは、セル全体に報知される、間欠受信をサポートする。
【００２７】
ＥＵＴＲＡの下りリンクの物理チャネルと物理シグナルについて説明する。
【００２８】
同期シグナル（Synchronization Signals）は、３種類のプライマリ同期シグナル（ＰＳＳ）と、周波数領域で互い違いに配置される３１種類の符号から構成されるセカンダリ同期シグナル（ＳＳＳ）とで構成され、プライマリ同期シグナルとセカンダリ同期シグナルの信号の組み合わせによって、基地局装置を識別する５０４通りのセル識別子（物理セルＩＤ（Physical Cell Identity; PCI））と、無線同期のためのフレームタイミングが示される。端末装置は、セルサーチによって受信した同期シグナルの物理セルＩＤを特定する。
【００２９】
下りリンクリファレンスシグナル（下りリンク参照信号）は、その用途によって複数のタイプに分類される。例えば、セル固有ＲＳ（CRS: Cell-specific reference signals）は、セル毎に所定の電力で送信されるパイロットシグナルであり、所定の規則に基づいて周波数領域および時間領域で周期的に繰り返される下りリンクリファレンスシグナルである。端末装置は、セル固有ＲＳを受信することでセル毎の受信品質を測定することができる。また、端末装置は、セル固有ＲＳと一緒に送信される物理下りリンク制御チャネル、または物理下りリンク共用チャネルの復調のための参照用の信号としてもセル固有ＲＳを使用することができる。
【００３０】
セル固有ＲＳに使用される系列は、セル毎に識別可能な系列が用いられる。セル固有ＲＳは、基地局装置より全ての下りリンクサブフレームで送信されてもよいし、基地局装置によって指定された下りリンクサブフレームでのみ送信されてもよい。また、端末装置は、セル固有ＲＳを全ての下りリンクサブフレームで受信してもよいし、基地局装置によって指定された下りリンクサブフレームでのみ受信してもよい。
【００３１】
また、下りリンクリファレンスシグナルは下りリンクの伝搬路変動の推定にも用いられる。伝搬路変動の推定に用いられる下りリンクリファレンスシグナルのことをチャネル状態情報リファレンスシグナル（Ｃｈａｎｎｅｌ  Ｓｔａｔｅ  Ｉｎｆｏｒｍａｔｉｏｎ  Ｒｅｆｅｒｅｎｃｅ  Ｓｉｇｎａｌｓ；ＣＳＩ−ＲＳ、ＣＳＩ参照信号）と称する。また、ＣＳＩ参照信号は、実際には信号の送信されない、または、ゼロパワーで送信されてもよい。一方、実際に信号が送信されるＣＳＩ−ＲＳは、非ゼロパワーＣＳＩ−ＲＳ（NZP CSI-RS: Non Zero Power Channel State Information Reference Signals）と称してもよい。また、干渉成分を測定するために用いられる下りリンクの無線リソースの事をチャネル状態情報干渉測定リソース（CSI-IMR: Channel State Information - Interference Measurement Resource）あるいはＣＳＩ−ＩＭリソースと称してもよい。
【００３２】
また、端末装置に対して個別に設定される下りリンクリファレンスシグナルは、ＵＥ  ｓｐｅｃｉｆｉｃ  Ｒｅｆｅｒｅｎｃｅ  Ｓｉｇｎａｌｓ（ＵＲＳ）、Ｄｅｍｏｄｕｌａｔｉｏｎ  Ｒｅｆｅｒｅｎｃｅ  Ｓｉｇｎａｌ（ＤＭＲＳ）と称され、物理下りリンク制御チャネル、拡張物理下りリンク制御チャネル、または物理下りリンク共用チャネルを復調するときのチャネルの伝搬路補償処理のために参照される。
【００３３】
物理報知チャネル（PBCH; Physical Broadcast Channel）は、セル内の端末装置で共通に用いられるマスターインフォメーションブロック（MIB; Master information block）を通知（設定）する目的で送信される。基地局装置は、物理報知チャネルによってＭＩＢを含むマスターインフォメーションブロックメッセージを通知（送信）する。マスターインフォメーションブロックメッセージで端末装置に通知（設定）される情報、すなわちＭＩＢで通知される情報は、下りリンク周波数帯域幅、システムフレームナンバー、およびＨｙｂｒｉｄ  ＡＲＱに関する物理チャネル（ＰＨＩＣＨ）の設定情報（configuration）などである。
【００３４】
基地局装置は、サブフレーム位置と周期が静的に定まる（pre-defined）システムインフォメーションブロック  タイプ１（SIB1; System information block Type1）メッセージと、システムインフォメーションブロック  タイプ１で指定されるシステムインフォメーションウィンドウ（ＳＩ−ｗｉｎｄｏｗ）内で動的にスケジューリングされるその他のタイプのシステムインフォメーションメッセージ（例えば、システムインフォメーションブロック  タイプ２〜タイプｎ（ｎは自然数））と、を用いてマスターインフォメーションブロック以外のセル共通情報を端末装置に送信する。
【００３５】
ここで、マスターインフォメーションブロックメッセージ、システムインフォメーションブロック  タイプ１メッセージ、システムインフォメーションメッセージは、それぞれレイヤ３メッセージ（ＲＲＣメッセージ）である。なお、本明細書において、システム情報（報知情報）とは、これらのＲＲＣメッセージのことを、または、マスターインフォメーションブロックと各システムインフォメーションブロックで通知される情報（情報要素）のことを意味している場合がある。
【００３６】
システムインフォメーションメッセージは、物理下りリンク制御チャネルで示される無線リソースにおいて物理下りリンク共用チャネルを用いて通知され、その用途に応じて分類されたシステム情報（システムインフォメーションブロック  タイプ２〜タイプｎ（ＳＩＢ２〜ＳＩＢｎ（ｎは自然数）））の一つを対応するシステムインフォメーションウィンドウ内で送信する。
【００３７】
システム情報として、セル個別の識別子を示すセルグローバル識別子（CGI; Cell Global Identifier）、ページングによる待ち受けエリアを管理するトラッキングエリア識別子（TAI; Tracking Area Identifier）、ランダムアクセス設定（共通ランダムアクセス設定）情報、タイミング調整情報、セル毎の共通無線リソース設定情報、同周波数（異周波数、異ＲＡＴ）の周辺セルリスト情報（Neighboring cell list）、上りリンクアクセス制限情報などが通知される。
【００３８】
物理下りリンク制御チャネル（ＰＤＣＣＨ；Ｐｈｙｓｉｃａｌ  Ｄｏｗｎｌｉｎｋ  Ｃｏｎｔｒｏｌ  Ｃｈａｎｎｅｌ）は、各サブフレームの先頭からいくつかのＯＦＤＭシンボル（例えば１〜４ＯＦＤＭシンボル）で送信される。拡張物理下りリンク制御チャネル（ＥＰＤＣＣＨ；  Ｅｎｈａｎｃｅｄ  Ｐｈｙｓｉｃａｌ  Ｄｏｗｎｌｉｎｋ  Ｃｏｎｔｒｏｌ  Ｃｈａｎｎｅｌ）は、物理下りリンク共用チャネルＰＤＳＣＨが配置されるＯＦＤＭシンボルに配置される物理下りリンク制御チャネルである。ＰＤＣＣＨまたはＥＰＤＣＣＨは、端末装置に対して基地局装置のスケジューリングに従った無線リソース割り当て情報や、送信電力の増減の調整量を指示する制御情報などを通知する目的で使用される。以降、単に物理下りリンク制御チャネル（ＰＤＣＣＨ）と記載した場合、特に明記がなければ、ＰＤＣＣＨとＥＰＤＣＣＨの両方の物理チャネルを意味する。
【００３９】
端末装置は、レイヤ２メッセージ（ＭＡＣ−ＣＥ）およびレイヤ３メッセージ（ページング、システムインフォメーションなど）を送受信する前に自装置宛の物理下りリンク制御チャネルを監視（モニタ）し、自装置宛の物理下りリンク制御チャネルを受信することで、送信時には上りリンクグラント、受信時には下りリンクグラント（下りリンクアサインメントとも称する）と呼ばれる無線リソース割り当て情報を物理下りリンク制御チャネルから取得する必要がある。なお、物理下りリンク制御チャネルは、上述したＯＦＤＭシンボルで送信される以外に、基地局装置から端末装置に対して個別（ｄｅｄｉｃａｔｅｄ）に割り当てられるリソースブロックの領域で送信されるように構成することも可能である。
【００４０】
物理下りリンク共用チャネル（PDSCH; Physical Downlink Shared Channel）は、下りリンクデータの他、ページングやシステムインフォメーションなどのレイヤ３メッセージを端末装置に通知するためにも使用される。物理下りリンク共用チャネルの無線リソース割り当て情報は、物理下りリンク制御チャネルで示される（通知される）。物理下りリンク共用チャネルは物理下りリンク制御チャネルが送信されるＯＦＤＭシンボル以外のＯＦＤＭシンボルに配置されて送信される。すなわち、物理下りリンク共用チャネルと物理下りリンク制御チャネルは１サブフレーム内で時分割多重される。
【００４１】
報知チャネルＢＣＨは、物理報知チャネルＰＢＣＨにマッピングされる。ページングチャネルＰＣＨおよび下りリンク共用チャネルＤＬ−ＳＣＨは、物理下りリンク共用チャネルＰＤＳＣＨにマッピングされる。物理下りリンク制御チャネルＰＤＣＣＨは、物理チャネル単独で使用される。
【００４２】
また、下りリンクにおいて、ページング制御チャネルＰＣＣＨは、ページングチャネルＰＣＨにマッピングされる。報知制御チャネルＢＣＣＨは、報知チャネルＢＣＨと下りリンク共用チャネルＤＬ−ＳＣＨにマッピングされる。共通制御チャネルＣＣＣＨ、専用制御チャネルＤＣＣＨ、専用トラフィックチャネルＤＴＣＨは、下りリンク共用チャネルＤＬ−ＳＣＨにマッピングされる。
【００４３】
次に、ＥＵＴＲＡにおける上りリンクについて説明する。上りリンクの論理チャネルには、共通制御チャネルＣＣＣＨ（Common Control Channel）、専用制御チャネルＤＣＣＨ（Dedicated Control Channel）、専用トラフィックチャネルＤＴＣＨ（Dedicated Traffic Channel）が含まれる。
【００４４】
共通制御チャネルＣＣＣＨは、端末装置とネットワーク間の制御情報を送信するために使用される論理チャネルであり、上りリンクにおいて、端末装置の状態がネットワークと無線リソース制御（ＲＲＣ：Radio Resource Control）接続されている状態（ＲＲＣ接続状態、ＲＲＣ＿ＣＯＮＮＥＣＴＥＤ）に移行していない場合（すなわち、ＲＲＣアイドル状態、ＲＲＣ＿ＩＤＬＥ）に、端末装置によって使用される。
【００４５】
専用制御チャネルＤＣＣＨは、１対１（point-to-point）の双方向チャネルであり、端末装置とネットワーク間で個別の制御情報を送信するために使用される論理チャネルである。専用制御チャネルＤＣＣＨは、ＲＲＣ接続状態の端末装置と基地局装置との間において使用されうる。専用トラフィックチャネルＤＴＣＨは、１対１の双方向チャネルであり、１つの端末装置専用のチャネルであって、ユーザ情報（ユニキャストデータ）の転送のために使用される論理チャネルである。
【００４６】
上りリンクのトランスポートチャネルには、上りリンク共用チャネルＵＬ−ＳＣＨ（Uplink Shared Channel）とランダムアクセスチャネルＲＡＣＨ（Random Access Channel）が含まれる。
【００４７】
上りリンク共用チャネルＵＬ−ＳＣＨでは、ＨＡＲＱ（Hybrid Automatic Repeat Request：ハイブリッド自動再送要求）、動的適応変調制御、動的または準静的なリソース割り当て、間欠送信（ＤＴＸ：Discontinuous Transmission）がサポートされる。ランダムアクセスチャネルＲＡＣＨでは、限定的な（limited）制御情報が送信される。
【００４８】
ＥＵＴＲＡの上りリンクの物理チャネルと物理シグナルについて説明する。
【００４９】
物理上りリンク制御チャネル（PUCCH; Physical Uplink Control Channel）は、物理下りリンク共用チャネルで送信された下りリンクデータの受信確認応答（ＡＣＫ／ＮＡＣＫ；Ａｃｋｎｏｗｌｅｄｇｅｍｅｎｔ／Ｎｅｇａｔｉｖｅ  Ａｃｋｎｏｗｌｅｄｇｅｍｅｎｔ）や下りリンクの伝搬路（チャネル状態）情報（ＣＳＩ；Ｃｈａｎｎｅｌ  Ｓｔａｔｅ  Ｉｎｆｏｒｍａｔｉｏｎ）、上りリンクの無線リソース割り当て要求（無線リソース要求、スケジューリングリクエスト（ＳＲ；Ｓｃｈｅｄｕｌｉｎｇ  Ｒｅｑｕｅｓｔ））を行なうために使用される。
【００５０】
ＣＳＩは、ＣＱＩ（Ｃｈａｎｎｅｌ  Ｑｕａｌｉｔｙ  Ｉｎｄｉｃａｔｏｒ）、ＰＭＩ（Ｐｒｅｃｏｄｉｎｇ  Ｍａｔｒｉｘ  Ｉｎｄｉｃａｔｏｒ）、ＰＴＩ（Ｐｒｅｃｏｄｉｎｇ  Ｔｙｐｅ  Ｉｎｄｉｃａｔｏｒ）、ＲＩ（Ｒａｎｋ  Ｉｎｄｉｃａｔｏｒ）を含む。各Ｉｎｄｉｃａｔｏｒは、Ｉｎｄｉｃａｔｉｏｎと表記されてもよい。
【００５１】
物理上りリンク共用チャネル（PUSCH; Physical Uplink Shared Channel）は、主に上りリンクデータと上りリンク制御データを送信し、ＣＳＩやＡＣＫ／ＮＡＣＫなどの制御データを含めることも可能である。また、上りリンクデータの他、上りリンク制御情報をレイヤ２メッセージおよびレイヤ３メッセージとして端末装置から基地局装置に通知するためにも使用される。また、下りリンクと同様に物理上りリンク共用チャネルの無線リソース割り当て情報は、物理下りリンク制御チャネルで示される。
【００５２】
上りリンクリファレンスシグナル（上りリンク参照信号；Uplink Reference Signal（上りリンクパイロット信号、上りリンクパイロットチャネルとも呼称する））は、基地局装置が、物理上りリンク制御チャネルＰＵＣＣＨおよび／または物理上りリンク共用チャネルＰＵＳＣＨを復調するために使用する復調参照信号（DMRS; Demodulation ReferenceSignal）と、基地局装置が、主に、上りリンクのチャネル状態を推定するために使用するサウンディング参照信号（SRS; Sounding Reference Signal）が含まれる。また、サウンディング参照信号には、周期的に送信される周期的サウンディング参照信号（Ｐｅｒｉｏｄｉｃ  ＳＲＳ）と、基地局装置から指示されたときに送信される非周期的サウンディング参照信号（Ａｐｅｒｉｏｄｉｃ  ＳＲＳ）とがある。
【００５３】
物理ランダムアクセスチャネル（PRACH; Physical Random Access Channel）は、プリアンブル系列を通知（設定）するために使用されるチャネルであり、ガードタイムを有する。プリアンブル系列は、複数のシーケンスによって基地局装置へ情報を通知するように構成される。例えば、６４種類のシーケンスが用意されている場合、６ビットの情報を基地局装置へ示すことができる。物理ランダムアクセスチャネルは、端末装置の基地局装置へのアクセス手段として用いられる。
【００５４】
端末装置は、物理上りリンク制御チャネル未設定時の上りリンクの無線リソース要求のため、または、上りリンク送信タイミングを基地局装置の受信タイミングウィンドウに合わせるために必要なタイミング調整情報（タイミングアドバンス（Ｔｉｍｉｎｇ  Ａｄｖａｎｃｅ；ＴＡ）とも呼ばれる）を基地局装置に要求するためなどに物理ランダムアクセスチャネルを用いる。また、基地局装置は、端末装置に対して物理下りリンク制御チャネルを用いてランダムアクセス手順の開始を要求することもできる。
【００５５】
上りリンクにおいて、共通制御チャネルＣＣＣＨ、専用制御チャネルＤＣＣＨ、専用トラフィックチャネルＤＴＣＨは、上りリンク共用チャネルＵＬ−ＳＣＨにマッピングされる。
【００５６】
上りリンク共用チャネルＵＬ−ＳＣＨは、物理上りリンク共用チャネルＰＵＳＣＨにマッピングされる。ランダムアクセスチャネルＲＡＣＨは、物理ランダムアクセスチャネルＰＲＡＣＨにマッピングされる。物理上りリンク制御チャネルＰＵＣＣＨは、物理チャネル単独で使用される。
【００５７】
なお、それ以外の物理チャネルまたは物理シグナルは、本発明の各実施形態と強く関わらないため詳細な説明は省略する。説明を省略した物理チャネルまたは物理シグナルとして、物理制御フォーマット指示チャネル（ＰＣＦＩＣＨ：Ｐｈｙｓｉｃａｌ  Ｃｏｎｔｒｏｌ  Ｆｏｒｍａｔ  Ｉｎｄｉｃａｔｏｒ  ＣＨａｎｎｅｌ）、物理ＨＡＲＱ指示チャネル（ＰＨＩＣＨ：Ｐｈｙｓｉｃａｌ  Ｈｙｂｒｉｄ  ＡＲＱ  Ｉｎｄｉｃａｔｏｒ  ＣＨａｎｎｅｌ）、物理マルチキャストチャネル（ＰＭＣＨ：Ｐｈｙｓｉｃａｌ  Ｍｕｌｔｉｃａｓｔ  ＣＨａｎｎｅｌ）などがある。
【００５８】
また、端末装置間の直接通信（Device to Device, D2D）用の論理チャネル、トランスポートチャネル、物理チャネル、または物理シグナル（これらをまとめてサイドリンクチャネルとも称する）もまたＥＵＴＲＡにおいて用いられるが、これらについても説明も省略する。
【００５９】
[プロトコルスタック]
図１１に示すように、端末装置および基地局装置の制御データを扱うプロトコルスタック（Protocol stack）は、物理（ＰＨＹ）層、ＭＡＣ層、ＲＬＣ層、ＰＤＣＰ層、ＲＲＣ層に少なくとも分類される。また、図１２に示すように、端末装置および基地局装置のユーザデータを扱うプロトコルスタックは、物理（ＰＨＹ）層、ＭＡＣ層、ＲＬＣ層、ＰＤＣＰ層に少なくとも分類される。端末装置、および／または、基地局装置は、各階層の機能／役割を実行するエンティティー（entity）をそれぞれの階層に持つ。
【００６０】
図１１および図１２の各層の順番は、レイヤ間の上位／下位を示す。例えば、ＲＲＣ層はＰＤＣＰ層、ＲＬＣ層、ＭＡＣ層、ＰＨＹ層の上位レイヤである。また、ＭＡＣ層はＲＲＣ層、ＰＤＣＰ層、ＲＬＣ層の下位レイヤであり、かつ、ＰＨＹ層の上位レイヤである。
【００６１】
物理層（Physical layer：ＰＨＹ層）は、物理チャネル（Physical Channel）を利用して上位レイヤに伝送サービスを提供する。ＰＨＹ層は、媒体アクセス制御層（Medium Access Control layer：ＭＡＣ層）とトランスポートチャネルで接続される。トランスポートチャネルを介して、ＭＡＣ層とＰＨＹ層とレイヤ（layer：層）間でデータが移動する。端末装置と基地局装置の物理層間において、物理チャネルを介してデータの送受信が行われる。
【００６２】
ＭＡＣ層は、無線リンク制御層（Radio Link Control layer：ＲＬＣ層）と論理チャネルで接続される。論理チャネルは、伝送される情報の種類によって区別されており、制御情報を伝送する制御チャネルと、ユーザ情報を伝送するトラフィックチャネルに分けられる。
【００６３】
ＭＡＣ層における機能は、論理チャネルとトランスポートチャネル間のマッピング、間欠受信（ＤＲＸ）と間欠送信（ＤＴＸ）を実行するためのＰＨＹ層の制御、送信電力の情報の通知、ＨＡＲＱ（誤り訂正）制御、ダイナミックスケジューリングによる端末装置間の優先度のハンドリング、論理チャネルの優先度のハンドリング、送信フォーマット選択、などである。これらＭＡＣ層の機能は、ＭＡＣエンティティーによって実行される。
【００６４】
ＲＬＣ層の機能は、上位レイヤから受信したデータ（Ｐｒｏｔｏｃｏｌ  Ｄａｔａ  Ｕｎｉｔ：ＰＤＵ）の転送、ＡＲＱ（誤り訂正）機能、ＲＬＣデータの分割（Segmentation）および連結(Concatenation)、ＰＤＵの再分割（re-segmentation）、ＰＤＵ順番の再配置（re-ordering）、データの重複検出、プロトコルエラー検出、ＲＬＣデータの破棄、などである。これらＲＬＣ層の機能は、ＲＬＣエンティティーによって実行される。
【００６５】
パケットデータコンバージェンスプロトコル層（Packet Data Convergence Protocol layer：ＰＤＣＰ層）の機能は、ユーザデータまたは制御データの転送、ユーザデータであるＩＰパケットを無線区間で効率的に伝送するためのヘッダ圧縮、シーケンス番号の管理、ユーザデータまたは制御データの秘匿および秘匿解除、制御データの改ざん防止（integrity protection）、データの重複検出と破棄、などである。これらＰＤＣＰ層の機能は、ＰＤＣＰエンティティーによって実行される。
【００６６】
無線リソース制御層（Radio Resource Control layer：ＲＲＣ層）では、制御情報のみが定義される。ＲＲＣ層の機能は、システム情報の報知（ＮＡＳ共通情報、セル選択パラメータ、周辺セル情報、共通チャネル設定、ＥＴＷＳ（Earthquake Tsunami Warning System）／ＣＭＡＳ（Commercial Mobile Alert System）を含む）、ＲＲＣ接続制御（ページング、ＲＲＣ接続の確立／変更／リリース、改ざん防止設定、秘匿設定、移動性（mobility）制御、無線ベアラ（Radio Bearer：ＲＢ）の設定／変更／リリース、無線設定制御（ＡＲＱ設定、ＨＡＲＱ設定、ＤＲＸ設定などの割り当て／変更）、セカンダリセルの追加／変更／リリース、ＱｏＳ制御、無線リンク障害（Radio link failure）からの復帰）、などである。
【００６７】
また、ＲＲＣ層の機能は、ＲＡＴ間（inter-RAT）モビリティ、一般的なプロトコルエラーハンドリング、測定設定と報告、端末装置ログの保存と報告、なども含む。これらＲＲＣ層の機能は、ＲＲＣエンティティーによって実行される。
【００６８】
ＲＢは、シグナリング無線ベアラ（Signaling Radio Bearer：ＳＲＢ）とデータ無線ベアラ（Data Radio Bearer：ＤＲＢ）の２種類のＲＢがある。ＳＲＢは、制御情報であるレイヤ３メッセージを送信する経路として利用される。ＤＲＢは、ユーザ情報を送信する経路として利用される。基地局装置と端末装置のＲＲＣエンティティー間で各ＲＢの設定（追加、変更、リリース）が行われる。
【００６９】
レイヤ３メッセージは、端末装置と基地局装置のＲＲＣ（無線リソース制御）エンティティー間でやり取りされる制御平面（ＣＰ（Ｃｏｎｔｒｏｌ−ｐｌａｎｅ、Ｃ−Ｐｌａｎｅ））のプロトコルで取り扱われるメッセージであり、ＲＲＣシグナリングまたはＲＲＣメッセージと同義的に使用され得る。なお、制御平面に対し、ユーザデータを取り扱うプロトコルのことをユーザ平面（ＵＰ（Ｕｓｅｒ−ｐｌａｎｅ、Ｕ−Ｐｌａｎｅ））と称する。
【００７０】
[ディスカバリ信号]
基地局装置は、端末装置に対してディスカバリ信号（ＤＳ：Ｄｉｓｃｏｖｅｒｙ  Ｓｉｇｎａｌ）を送信してもよい。ディスカバリ信号は、ディスカバリ参照信号（ＤＲＳ：Ｄｉｓｃｏｖｅｒｙ  Ｒｅｆｅｒｅｎｃｅ  Ｓｉｇｎａｌ）とも称される。ディスカバリ信号は、ディスカバリ信号測定タイミング設定（DMTC: Discovery signals measurement timing configuration）によって定まるディスカバリ信号測定タイミング設定機会（ＤＭＴＣ  Ｏｃｃａｓｉｏｎ（以後、ディスカバリ信号送信機会と称する））において送信されてもよい。
【００７１】
ディスカバリ信号送信機会（ＤＭＴＣ  Ｏｃｃａｓｉｏｎ）におけるディスカバリ信号は、下りリンク送信をオフ（下りリンク送信を停止）した基地局装置から送信されてもよい。換言すれば、下りリンク送信をオフした基地局装置は、ディスカバリ信号測定タイミング設定に基づく測定区間（すなわち、ディスカバリ信号送信機会）においてディスカバリ信号のみを送信し、それ以外の区間では下りリンク送信を停止することができる。
【００７２】
基地局装置は、端末装置に対し、ＲＲＣシグナリングを用いてディスカバリ信号測定タイミング設定を通知する。ディスカバリ信号測定タイミング設定が通知された端末装置は、ディスカバリ信号測定タイミング設定を、測定対象となる周波数に適用して測定を行う。すなわち、端末装置は、ディスカバリ信号測定タイミング設定に基づく測定区間（すなわち、ディスカバリ信号送信機会）においてディスカバリ信号の測定を行う。なお、ディスカバリ信号測定タイミング設定が通知された端末装置は、ディスカバリ信号送信機会以外のサブフレームではディスカバリ信号が送信されないと想定してよい。
【００７３】
ディスカバリ信号は、一つまたは複数の物理シグナルの組み合わせによって構成されてもよい。例えば、ディスカバリ信号は、ＰＳＳ、ＳＳＳ、ＣＲＳにより構成されてもよい。端末装置は、ディスカバリ信号であるＣＲＳを用いてＲＳＲＰとＲＳＲＱの測定を行ってもよい。また、更に、ディスカバリ信号は、ＰＳＳ、ＳＳＳ，ＣＲＳに加え、ＣＳＩ−ＲＳを含めた構成でもよい。端末装置は、ディスカバリ信号であるＣＳＩ−ＲＳを用いてＲＳＲＰとＲＳＲＱの測定を行ってもよい。
【００７４】
あるセルのディスカバリ信号送信機会（ＤＭＴＣ  Ｏｃｃａｓｉｏｎ）のサブフレーム数は、ＦＤＤ（Frame structure type 1）において１から５であり、ＴＤＤ（Frame structure type 2）において２から５である。サブフレーム数は、ディスカバリ信号期間（ds-OccasionDuration）で示され、基地局装置によってＲＲＣシグナリングで通知される。端末装置は、ＲＲＣシグナリングによって設定される周期（ディスカバリ信号測定タイミング設定周期、またはＤＭＴＣ周期（dmtcPeriodicity））毎に一度のディスカバリ信号送信機会があると想定してもよい。
【００７５】
各物理シグナルはそれぞれ以下のように仮定されてもよい。ＣＲＳは、ディスカバリ信号期間における全ての下りリンクサブフレーム、および、全てのスペシャルサブフレーム（ＴＤＤにおける上りリンクと下りリンクの切り替えが発生するサブフレーム）の下りリンクタイムスロット（DwPTS：downlink Pilot time slot）で、アンテナポート０で送信される。ＰＳＳは、ＦＤＤにおいてディスカバリ信号期間の最初のサブフレームで送信される。あるいは、ＰＳＳは、ＴＤＤにおいてディスカバリ信号期間の２番目のサブフレームで送信される。ＳＳＳは、ディスカバリ信号期間の最初のサブフレームで送信される。ＣＳＩ−ＲＳは、ディスカバリ信号期間において、ゼロ、または、１以上のサブフレームで送信され、その電力はゼロ以外（すなわち、ノンゼロパワーのＣＳＩ−ＲＳ）で送信される。
【００７６】
図１３は、本発明の実施形態に係るディスカバリ信号について説明するための図である。図１３（ａ）は、従来のディスカバリ信号の送信タイミングとディスカバリ信号に関わるパラメータについて示した図である。ディスカバリ信号送信機会（ＤＭＴＣ  ｏｃｃａｓｉｏｎ）は、ＤＭＴＣ周期（dmtcPeriodicity）の間隔で存在する。また、ディスカバリ信号送信機会（ＤＭＴＣ  ｏｃｃａｓｉｏｎ）は、ＤＭＴＣ周期（dmtcPeriodicity）の先頭フレームからＤＭＴＣオフセット（dmtcOffset）だけ遅れたタイミングから始まる。ディスカバリ信号（ＤＳ）は、ディスカバリ信号期間（ds-OccasionDuration）の間に送信される。
【００７７】
図１３（ｂ）は、非ライセンスバンドに適用されるディスカバリ信号の送信タイミングとディスカバリ信号に関わるパラメータについて示した図である。ディスカバリ信号送信機会（ＤＭＴＣ  ｏｃｃａｓｉｏｎ）、ＤＭＴＣ周期（dmtcPeriodicity）、ＤＭＴＣオフセット（dmtcOffset）の関係は従来（図１３（ａ））と同じである。非ライセンスバンド（ＬＡＡセル）では、ＬＢＴに基づいて、基地局装置が信号を送信できないビジー状態が発生する。このビジー状態がディスカバリ信号送信機会（ＤＭＴＣ  ｏｃｃａｓｉｏｎ）中に起きた場合、図１３（ｂ）に示すように、ディスカバリ信号の送信タイミングがビジー状態の解消までずれる場合がある。
【００７８】
すなわち、基地局装置は、ディスカバリ信号送信機会（ＤＭＴＣ  ｏｃｃａｓｉｏｎ）中に（ＬＢＴに基づいて）ビジー状態が解消された場合、残りのディスカバリ信号送信機会（ＤＭＴＣ  ｏｃｃａｓｉｏｎ）中に再度ディスカバリ信号を送信し、端末装置は、所定のタイミングでディスカバリ信号が検出できなかった場合、ビジー状態によりディスカバリ信号が送信されないことを考慮し、残りのディスカバリ信号送信機会（ＤＭＴＣ  ｏｃｃａｓｉｏｎ）中において、ディスカバリ信号の検出を試みる。すなわち、このとき端末装置は従来と異なるタイミングでディスカバリ信号の検出を試みる。
【００７９】
[無線ネットワーク]
基地局装置によって制御される各周波数の通信可能範囲（通信エリア）はセルとしてみなされる。このとき、基地局装置がカバーする通信エリアは周波数毎にそれぞれ異なる広さ、異なる形状であっても良い。また、カバーするエリアが周波数毎に異なっていてもよい。基地局装置の種別やセル半径の大きさが異なるセルが、同一の周波数または異なる周波数のエリアに混在して一つの通信システムを形成している無線ネットワークのことを、ヘテロジニアスネットワークと称する。
【００８０】
端末装置は、セルの中を通信エリアとみなして動作する。端末装置が、あるセルから別のセルへ移動するときは、非無線接続時（非通信中）はセル再選択手順、無線接続時（通信中）はハンドオーバー手順によって別の適切なセルへ移動する。適切なセルとは、一般的に端末装置のアクセスが基地局装置から指定される情報に基づいて禁止されていないと判断したセルであって、かつ、下りリンクの受信品質が所定の条件を満足するセルのことを示す。
【００８１】
基地局装置は端末装置がその基地局装置で通信可能なエリアであるセルを周波数毎に管理する。１つの基地局装置が複数のセルを管理していてもよい。セルは、端末装置と通信可能なエリアの大きさ（セルサイズ）に応じて複数の種別に分類される。例えば、セルは、マクロセルとスモールセルに分類される。スモールセルは、一般的に半径数メートルから数十メートルまでをカバーするセルである。また、スモールセルは、そのエリアの大きさに応じて、フェムトセル、ピコセル、ナノセルなどに分類されることもある。
【００８２】
端末装置がある基地局装置と通信可能であるとき、その基地局装置のセルのうち、端末装置との通信に使用されるように設定されているセルは在圏セル（Serving cell）であり、その他の通信に使用されないセルは周辺セル（Neighboring cell）と称される。
【００８３】
[キャリア・アグリゲーション]
また、端末装置と基地局装置は、キャリア・アグリゲーションによって複数の異なる周波数バンド（周波数帯）の周波数（コンポーネントキャリア、または周波数帯域）を集約（アグリゲート、ａｇｇｒｅｇａｔｅ）して一つの周波数（周波数帯域）のように扱う技術を適用してもよい。キャリア・アグリゲーションにおいて、コンポーネントキャリアとして、上りリンクに対応する上りリンクコンポーネントキャリアと、下りリンクに対応する下りリンクコンポーネントキャリアとがある。本明細書において、周波数と周波数帯域は同義的に使用され得る。
【００８４】
例えば、キャリア・アグリゲーションによって周波数帯域幅が２０ＭＨｚのコンポーネントキャリアを５つ集約した場合、キャリア・アグリゲーションを可能な能力を持つ端末装置はこれらを１００ＭＨｚの周波数帯域幅とみなして送受信を行う。なお、集約するコンポーネントキャリアは連続した周波数であっても、全てまたは一部が不連続となる周波数であってもよい。例えば、使用可能な周波数バンドが８００ＭＨｚ帯、２ＧＨｚ帯、３．５ＧＨｚ帯である場合、あるコンポーネントキャリアが８００ＭＨｚ帯、別のコンポーネントキャリアが２ＧＨｚ帯、さらに別のコンポーネントキャリアが３．５ＧＨｚ帯で送信されていてもよい。
【００８５】
また、同一周波数帯の連続または不連続の複数のコンポーネントキャリアを集約することも可能である。各コンポーネントキャリアの周波数帯域幅は端末装置の受信可能周波数帯域幅（例えば２０ＭＨｚ）よりも狭い周波数帯域幅（例えば５ＭＨｚや１０ＭＨｚ）であっても良く、集約する周波数帯域幅が各々異なっていても良い。周波数帯域幅は、互換性を考慮して従来のセルの周波数帯域幅のいずれかと等しいことが望ましいが、従来のセルの周波数帯域と異なる周波数帯域幅を持っていても構わない。
【００８６】
なお、基地局装置が端末装置に割り当てる（設定する、追加する）上りリンクコンポーネントキャリアの数は、下りリンクコンポーネントキャリアの数と同じか少ないことが望ましい。
【００８７】
端末装置と基地局装置は、ある上りリンクコンポーネントキャリアと、当該上りリンクコンポーネントキャリアとセル固有接続される下りリンクコンポーネントキャリアから構成されるセルを、プライマリセル（ＰＣｅｌｌ：Ｐｒｉｍａｒｙ  ｃｅｌｌ）として管理する。また、端末装置と基地局装置は、プライマリセル以外のコンポーネントキャリアから構成されるセルを、セカンダリセル（ＳＣｅｌｌ：Ｓｅｃｏｎｄａｒｙ  ｃｅｌｌ）として管理する。プライマリセルの周波数をプライマリ周波数と称し、セカンダリセルの周波数をセカンダリ周波数と称する。
【００８８】
端末装置は、プライマリセルにおいて、ページングメッセージの受信、報知情報の更新の検出、初期アクセス手順、セキュリティ情報の設定などを行う一方、セカンダリセルではこれらを行わないでもよい。プライマリセルとセカンダリセルとを合わせてサービングセル（在圏セル）と称する。
【００８９】
なお、キャリア・アグリゲーションによって、一つまたは複数のＬＡＡセルを集約してもよい。この場合、ＬＡＡセルはセカンダリセルとして追加されることが望ましい。
【００９０】
プライマリセルは活性化（Ａｃｔｉｖａｔｉｏｎ）および不活性化（Ｄｅａｃｔｉｖａｔｉｏｎ）の制御の対象外であるが（つまり、プライマリセルは必ず活性化しているとみなされる）、セカンダリセルは活性化と不活性化というアクティビティに応じたセルの状態（ｓｔａｔｅ）を持つ。セルの状態に関し、セルが活性化されている状態（活性化状態）をＡｃｔｉｖａｔｅｄ  ｓｔａｔｅ（アクティベート状態）、セルが不活性化されている状態（不活性化状態）をＤｅａｃｔｉｖａｔｅｄ  ｓｔａｔｅ（デアクティベート状態）とも称する。
【００９１】
セル（セカンダリセル）の状態は、基地局装置から明示的に状態の変更が指定（通知、指示）される場合もあるし、コンポーネントキャリア（セカンダリセル）毎に端末装置が計時するタイマー情報（セカンダリセル不活性化タイマー；デアクティベーションタイマー）に基づいて状態が変更される場合もある。
【００９２】
なお、キャリア・アグリゲーションは、複数のコンポーネントキャリア（周波数帯域）を用いた複数のセルによる通信であり、セル・アグリゲーションとも称される。なお、端末装置は、周波数毎にリレー局装置（またはリピーター）を介して基地局装置と無線接続されても良い。すなわち、本発明の各実施形態の基地局装置は、リレー局装置に置き換えることもできる。
【００９３】
[ＬＡＡ]
非ライセンス領域のことを、アンライセンスバンド（unlicensed band）、または非ライセンスバンドと称する。非ライセンスバンドの周波数を使用し、ライセンスバンド（licensed band）の周波数のセルに対する追加のリソースとして設定されるセルを、ＬＡＡセルと称する。ＬＡＡセルが用いる周波数は、他の通信システムおよび／または他のオペレータと共用されてもよい。ＬＡＡセルの周波数が共用される場合、他の通信システムおよび／または他のオペレータとの公平性を考慮する必要がある。すなわち、ＬＡＡセルでの通信において、公平な周波数共用技術（方法）を適用することが望ましい。
【００９４】
公平な周波数共用技術の一例は、ＬＢＴ（Listen-Before-Talk）である。ＬＢＴは、ある基地局装置または端末装置が、非ライセンスバンドの周波数で信号を送信する前に、その周波数の電力（干渉信号、受信電力、受信信号、雑音電力、雑音信号）などを測定（検出）することにより、その周波数がアイドル（空いている状態）であるか、またはビジー（空いていない状態）であるかを、識別（検出、想定、決定）する。周波数がアイドルであることを、サイレント区間（silent period）とも称する。
【００９５】
基地局装置または端末装置は、ＬＢＴに基づいてその周波数がアイドルであると識別した場合、そのＬＡＡセルにおいて所定のタイミングで信号を送信することができる。基地局装置または端末装置は、ＬＢＴに基づいてその周波数がビジーであると識別した場合、そのＬＡＡセルにおいて所定のタイミングで信号を送信することを避けるべきである。このように、ＬＢＴを用いることで、他の通信システムおよび／または他のＬＴＥオペレータを含む他の基地局装置および／または端末装置が送信している信号に対して、干渉を与えないように制御できる。
【００９６】
ＬＢＴの手順は、ある基地局装置または端末装置がその周波数（チャネル）を用いる前にＣＣＡ（クリアチャネル評価：clear channel assessment）を適用するメカニズムとして定義される。ＣＣＡとは、送信タイミングにおいて、かかる周波数がアイドルであるかビジーであるかどうかを識別するために、その周波数において適切な閾値レベルを用いた信号エネルギー（信号の有無）の検出を行うことである。なお、本実施形態において、ＣＣＡの定義はＬＢＴの定義と同等であってもよい。
【００９７】
ＣＣＡにおいて、他の信号の有無を検出する方法は、様々な方法を用いることができる。例えば、ある周波数における干渉電力が、ある閾値を超えるかどうかに基づいてＣＣＡを実行してもよい。また、例えば、ある周波数における所定の信号またはチャネルの受信電力（信号強度）が、ある閾値を超えるかどうかに基づいてＣＣＡを実行してもよい。閾値は予め規定されてもよいし、端末装置であれば基地局装置からシステム情報または個別の無線リソース制御メッセージによって通知されてもよいし、基地局装置であれば上位の無線局装置（例えばＭＭＥエンティティ）から通知されてもよい。
【００９８】
例えば、端末装置または基地局装置は、周波数のＲＳＳＩ（Received Signal StrengthIndicator）を測定することでＣＣＡを実行してもよい。ＲＳＳＩは、同一チャネルのサービングセルや周辺セルからの電力、隣接チャネルからの干渉電力、熱雑音電力、などを含んだ総受信電力であり、信号強度（受信強度）を示す指標となる。
【００９９】
ＬＡＡセルは、ライセンスバンド（licensed band）における従来のセカンダリセルと異なるセルとして定義されてもよい。例えば、ＬＡＡセルは、ライセンスバンドを用いるセカンダリセルと異なる設定が通知されてもよい。ＬＡＡセルは、セカンダリセルの一形態として定義されてもよい。また、従来のセカンダリセルは第１のセカンダリセルとも呼称され、ＬＡＡセルは第２のセカンダリセルとも呼称される。また、従来のプライマリセルおよびセカンダリセルは第１のサービングセルとも呼称され、ＬＡＡセルは第２のサービングセルとも呼称される。
【０１００】
非ライセンスバンドは、所定のオペレータに対して専有周波数として割り当てられるライセンスバンドとは異なる周波数である。例えば、非ライセンスバンドは、無線ＬＡＮなどの非オペレータが自由に利用可能な周波数バンドの周波数である。また、例えば、非ライセンスバンドはデュアルコネクティビティ、または、スタンドアローンにおいて設定されない周波数である。すなわち、非ライセンスバンドの周波数は、プライマリセル（またはプライマリセカンダリセル）に対して設定できない周波数であり、セカンダリセルのみに設定できる周波数である。
【０１０１】
なお、技術の進歩により、ＬＡＡセルに設定される周波数が非ライセンスバンドに限定されず、デュアルコネクティビティ、または、スタンドアローンにおいて設定されてもよい。すなわち、将来的に、非ライセンスバンドの周波数がプライマリセル（またはプライマリセカンダリセル）に使用されてもよい。
【０１０２】
ＬＡＡセルは、ＬＴＥにおける無線フレーム、物理信号、および／または物理チャネルなどの構成およびＬ１手順、Ｌ３手順（ＲＲＣ手順、測定方法）などに関して、従来の方式とは異なる方式を用いるセルであってもよい。
【０１０３】
例えば、ＬＡＡセルでは、従来のプライマリセルおよび／またはセカンダリセルで設定（送信）される所定の信号および／またはチャネルの一部が設定（送信）されなくてもよい。その所定の信号および／またはチャネルは、ＣＲＳ、ＤＳ、ＰＤＣＣＨ、ＥＰＤＣＣＨ、ＰＤＳＣＨ、ＰＳＳ、ＳＳＳ、ＰＢＣＨ、ＰＨＩＣＨ、ＰＣＦＩＣＨ、ＣＳＩ−ＲＳなどを含む。
【０１０４】
例えば、ＬＡＡセルで設定されない信号および／またはチャネルは、以下の通りである。なお、以下で説明される信号および／またはチャネルは組み合わせて用いられてもよい。なお、本実施形態において、ＬＡＡセルで設定されない信号および／またはチャネルは、端末がそのＬＡＡセルからの送信を期待しない信号および／またはチャネルと読み替えてもよい。
（１）ＬＡＡセルでは、物理レイヤの制御情報は、ＰＤＣＣＨで送信されず、ＥＰＤＣＣＨのみで送信されてもよい。
（２）ＬＡＡセルでは、全てのサブフレームでＣＲＳ、ＤＭＲＳ、ＵＲＳ、ＰＤＣＣＨ、ＥＰＤＣＣＨおよび／またはＰＤＳＣＨが送信されていなくてもよく、端末装置は全てのサブフレームで送信されていることを想定しなくてもよい。
（３）ＬＡＡセルでは、端末装置は、指定されたサブフレーム区間において、ＤＲＳ、ＰＳＳ、および／またはＳＳＳが送信されていることを想定する。
【０１０５】
また、例えば、ＬＡＡセルでは、下りリンクコンポーネントキャリアまたはサブフレームのみが定義され、下りリンク信号および／またはチャネルのみが送信される。すなわち、ＬＡＡセルでは、上りリンクコンポーネントキャリアまたはサブフレームが定義されず、上りリンク信号および／またはチャネルは送信されない。
【０１０６】
[Ｍｅａｓｕｒｅｍｅｎｔ（測定）]
物理層で測定される測定結果として、ＲＳＲＰ（Reference Signal Received Power）、ＲＳＳＩ（Received Signal Strength Indicator）、ＲＳＲＱ（Reference Signal Received Quality）などがある。
【０１０７】
ＲＳＲＰは下りリンクリファレンスシグナルの受信電力として定義される。ＲＳＲＱは下りリンクリファレンスシグナルの受信品質として定義される。ＲＳＲＱは、ＲＳＲＰとＲＳＳＩの比で定義され、計算式Ｎ×ＲＳＲＱ／ＲＳＳＩから求められる。ここで、Ｎは、ＲＳＳＩの測定帯域幅に相当するリソースブロック数であり、ＲＳＲＱの分子と分母は、同じ数のリソースブロックのセットで構成される。
【０１０８】
ＥＴＵＲＡにおけるＲＳＳＩ（E-UTRA carrier RSSI）は、一つまたは複数の測定サブフレームにおける、一つまたは複数のＯＦＤＭシンボルのみから観測される総受信電力を平均（線形平均）した値で構成される。換言すると、ＲＳＳＩは、アンテナポート０のＣＲＳ（アンテナポート０にマップされた無線リソース）を含むＯＦＤＭシンボルの総受信電力を線形平均した値である。ＲＳＳＩは、Ｎ個のリソースブロック数の測定帯域幅で測定される。なお、上位レイヤから全てのＯＦＤＭシンボルを用いてＲＳＲＱ測定を行うことが通知（指示、設定）された場合、ＲＳＳＩは全てのＯＦＤＭシンボル（ＣＲＳを含むＯＦＤＭシンボル、および、ＣＲＳを含まないＯＦＤＭシンボル）を用いて測定される。
【０１０９】
次に、端末装置における測定制御の方法（測定方法、測定手順）について説明を行う。基地局装置は、端末装置に対して、ＲＲＣメッセージである無線リソース制御接続再設定（RRCConnectionReconfiguration）メッセージを用いて、測定設定（Measurement configuration）を通知する。
【０１１０】
端末装置は、受信した測定設定に含まれる測定パラメータ（情報要素）を設定するとともに、通知された測定パラメータに従って、在圏セル（serving cell）および周辺セル（リストセル（listed cell）および／または検出セル（detected cell）を含む）に対する測定、測定イベントのイベント評価、測定報告を行う。リストセルは、測定対象（Measurement object(s)）に含まれる周辺セルリストとして通知されているセルであり、検出セルは、測定対象によって示された周波数において端末装置が検出したが、測定対象にはリストされていないセル（端末装置自身が検出したセル）である。
【０１１１】
測定には、周波数内測定（intra-frequency measurements）、周波数間測定（inter-frequency measurements）、無線アクセス技術間測定（inter-RAT measurements）がある。周波数内測定は、在圏セルの下りリンク周波数での測定である。周波数間測定は、在圏セルの下りリンク周波数とは異なる周波数での測定である。無線アクセス技術間測定は、在圏セルの無線技術（例えばEUTRA）とは異なる無線アクセス技術（RAT：Radio Access Technology）での測定である。
【０１１２】
測定設定には、測定識別子（measId）、測定対象（Measurement object(s)）、報告設定（Reporting configuration(s)）、数量設定（quantityConfig）、測定ギャップ設定（measGapConfig）、在圏セル品質スレッショルド（s-Measure）、全シンボル上ＲＳＲＱ測定（measRSRQ-OnAllSymbols）などが測定パラメータとして含まれる。
【０１１３】
数量設定（quantityConfig）は、関連する測定対象がEUTRAの場合、レイヤ３フィルタリング係数（L3 filtering coefficient）を指定する。レイヤ３フィルタリング係数（L3filtering coefficient）は、最新の測定結果と、過去の測定結果とのフィルタリングの比（割合）を設定する。フィルタリング結果は、端末装置でイベント評価に使用される。イベント評価とは、端末装置において実施される、報告設定で示される測定イベントのトリガ基準を満たしたか否かの判断のことを示す。レイヤ３フィルタリング係数は、測定する数量（quantity）毎（すなわち、ＲＳＲＰ、ＲＳＲＱ、ＲＳＳＩ毎）に個別に通知される。
【０１１４】
全シンボル上ＲＳＲＱ測定（measRSRQ-OnAllSymbols）が設定されている場合、端末装置は、全てのＯＦＤＭシンボルにおいてＲＳＲＱを測定する。すなわち、ＲＳＲＱを求めるためのＲＳＳＩ測定において、全てのＯＦＤＭシンボルを用いてＲＳＳＩを測定する。
【０１１５】
ここで、測定識別子（measId）は、測定対象と、報告設定とをリンクする（対応付ける）ために使用され、具体的には、測定設定において、測定識別子（measId）と、リンクされる一つの測定対象識別子（measObjectId）と一つの報告設定識別子（reportConfigId）とが基地局装置によって設定され、端末装置に通知される。すなわち、測定識別子は、一つの測定対象と一つの報告設定とをリンクするものである。測定設定は、測定識別子、測定対象、報告設定の対応関係（リンク）に対してそれぞれ追加、修正、あるいは削除することが可能である。
【０１１６】
測定対象は、無線アクセス技術（RAT）ごと（例えば、UTRA-FDD、UTRA-TDD、GERAN、cdma2000など）、または、周波数ごとに設定される。また、報告設定は、EUTRAに対する設定と、EUTRA以外のRATに対する設定とがある。
【０１１７】
測定対象には、測定対象識別子と対応付けられた測定対象EUTRA（measObjectEUTRA）などが含まれる。測定対象識別子は、測定対象の設定を識別するために使用する識別子である。測定対象の設定は、前述のように、無線アクセス技術（RAT）ごと、または周波数ごとに設定されている。EUTRAに対する測定対象である測定対象EUTRAは、関連するEUTRA周波数、および、かかるEUTRA周波数のセルに対して適用される情報を設定する。また、異なる周波数の測定対象EUTRAは、異なる測定対象として扱われ、それぞれ異なる測定対象識別子が割り当てられる。
【０１１８】
測定対象EUTRA（measObjectEUTRA）には、搬送波周波数（carrierFreq）、許可測定帯域幅（AllowedMeasBandwidth）、オフセット周波数（offsetFreq）、周辺セルリスト（neighbour cell list）に関する情報、ブラックリスト（black list）に関する情報、ワイドバンドＲＳＲＱ測定（widebandRSRQ-Meas）などを含めることができる。なお、これ以外のパラメータが測定対象EUTRAに含まれていてもよい。
【０１１９】
次に、測定対象EUTRAに含まれる情報について説明する。EUTRAの搬送波周波数は、測定対象となる周波数を示す。許可測定帯域幅（AllowedMeasBandwidth）は、測定対象とする搬送波周波数においてＲＳＲＰとＲＳＲＱを測定する際の最大許容測定帯域幅を示し、リソースブロック数で表される。オフセット周波数（offsetFreq）は、測定対象とする周波数において適用されるオフセット値を示す。
【０１２０】
ワイドバンドＲＳＲＱ測定（widebandRSRQ-Meas）は、許可測定帯域幅（AllowedMeasBandwidth）が５０リソースブロック（すなわち、１０ＭＨｚ）以上の場合に設定される。ワイドバンドＲＳＲＱ測定は真偽値で通知され、真（ＴＲＵＥ）の場合、端末装置は、許可測定帯域幅の最低値である６リソースブロックよりも広い帯域幅でのＲＳＲＱ測定が要求される。すなわち、この場合、端末装置は、６リソースブロックよりも広い帯域幅でＲＳＳＩを測定する。
【０１２１】
また、測定対象EUTRAは、ディスカバリ信号測定設定（measDS-Config）を含むこともできる。ディスカバリ信号測定設定（measDS-Config）は、さらに、ＣＳＩ−ＲＳリソースの測定に関する設定情報（ＣＳＩ−ＲＳリソース測定設定（MeasCSI-RS-Config））と、ディスカバリ信号測定タイミング設定を含むこともできる。ＣＳＩ−ＲＳリソース測定設定は、ＣＳＩ−ＲＳリソースごとに複数設定することもできる。ＣＳＩ−ＲＳリソースは、ＣＳＩ−ＲＳが送信されうるリソースエレメントを示す。
【０１２２】
なお、以下において、測定対象EUTRA、または、EUTRA以外のRATに対応する測定対象のことを、単に測定対象と記述して説明する場合がある。
【０１２３】
ディスカバリ信号測定タイミング設定は、ディスカバリ信号送信機会（ＤＭＴＣ  ｏｃｃａｓｉｏｎ）の周期および時間オフセットを示す情報（ディスカバリ信号測定タイミング設定周期オフセット、またはＤＭＴＣ周期オフセット（dmtcPeriodOffset））と、ディスカバリ信号送信機会の長さを示す情報（ディスカバリ信号期間（ds-OccasionDuration））により構成される。ディスカバリ信号送信機会の最初のサブフレームは、条件に合致するプライマリセルのシステムフレームナンバーとサブフレームナンバーにおいて発生する。
【０１２４】
dmtcPeriodOffsetは、ＤＭＴＣの時間周期（ＤＭＴＣ周期（dmtcPeriodicity））とＤＭＴＣ周期内の時間オフセット（ＤＭＴＣオフセット（dmtcOffset））を示す。なお、dmtcPeriodOffsetはキャリア周波数ごとに設定されることが好ましい。ＤＭＴＣ周期（dmtcPeriodicity）の値は４０ｍｓ、８０ｍｓ、１６０ｍｓなどの時間を示す。また、ＤＭＴＣオフセット（dmtcOffset）はＤＭＴＣ周期未満のサブフレームの数で与えられる。例えば、ＤＭＴＣ周期が４０ｍｓであるとき、ＤＭＴＣオフセットは０〜３９サブフレームのいずれかの値で示される。
【０１２５】
このとき、端末装置は、
SFN mod T = FLOOR(dmtcOffset / 10)
で定義される式（１）を用いてディスカバリ信号送信機会（ＤＭＴＣ  ｏｃｃａｓｉｏｎ）のシステムフレーム番号（ＳＦＮ）を計算する。
【０１２６】
また、端末装置は、
subframe = dmtcOffset mod 10
で定義される式（２）を用いてサブフレーム番号をそれぞれ計算する。なお、式（２）における値Ｔは、以下に示す式（３）によって定義される。
T = dmtcPeriodicity / 10
【０１２７】
端末装置がＣＲＳに基づくディスカバリ信号測定をサポートしている場合、端末装置は不活性化状態の各セカンダリセルの測定に対し、ディスカバリ信号測定設定（measDS-Config）に従ってＤＭＴＣを適用する。また、端末装置は、不活性化状態の各セカンダリセルの周波数の周辺セルの測定に対し、ディスカバリ信号測定設定（measDS-Config）に従ってＤＭＴＣを適用する。なお、ＤＭＴＣは、セカンダリセルの周波数に対応する測定対象（measObject）内に設定されている場合に適用されることが好ましい。
【０１２８】
関連する測定対象（measObject）にディスカバリ信号測定設定（measDS-config）が設定されている場合で、端末装置がＣＳＩ−ＲＳに基づくディスカバリ信号の測定をサポートしている場合、かつ、関連する報告設定（reportConfig）のイベント識別子（eventId）にＣＳＩ−ＲＳ報告に関するイベント（イベントＣ１（eventC1）、またはイベントＣ２（eventC2））が設定されている場合、端末装置は、関係する測定対象（measObject）によって示される周波数上のＣＳＩ−ＲＳリソースの測定に対し、ディスカバリ信号測定設定（measDS-Config）に従ってＤＭＴＣを適用する。なお、ＤＭＴＣは関係する測定対象（measObject）の中のディスカバリ信号測定設定（measDS-Config）に従って適用されることが好ましい。
【０１２９】
また、関連する測定対象（measObject）にディスカバリ信号測定設定（measDS-config）が設定されている場合で、端末装置がＣＳＩ−ＲＳに基づくディスカバリ信号測定の測定をサポートしている場合、かつ、関連する報告設定（reportConfig）にＣＳＩ−ＲＳ報告の周囲報告に関する測定パラメータ（例えば、reportStrongestCSI-RSs）が含まれている場合、端末装置は、測定対象（measObject）によって示される周波数上のＣＳＩ−ＲＳリソースに対応する測定に対し、ディスカバリ信号測定設定（measDS-Config）に従ってＤＭＴＣを適用する。
【０１３０】
報告設定には、報告設定識別子（reportConfigId）と対応付けられた報告設定EUTRA（reportConfigEUTRA）などが含まれる。なお、以後、報告設定EUTRAのことを単に報告設定と記述して説明する場合がある。
【０１３１】
報告設定識別子（reportConfigId）は、測定に関する報告設定を識別するために使用する識別子である。EUTRAに対する報告設定である報告設定EUTRA（reportConfigEUTRA）は、EUTRAにおける測定報告メッセージで報告される測定イベントのトリガ基準（triggering criteria）を設定（既定）する。
【０１３２】
また、報告設定EUTRA（reportConfigEUTRA）には、イベント識別子（eventId）、トリガ量（triggerQuantity）、ヒステリシス（hysteresis）、トリガ時間（timeToTrigger）、報告量（reportQuantity）、最大報告セル数（maxReportCells）、報告間隔（reportInterval）、報告数（reportAmount）などを含めることができる。
【０１３３】
次に、報告設定EUTRA（reportConfigEUTRA）について説明する。イベント識別子（eventId）は、イベントトリガ報告（event triggered reporting）に関する基準（criteria）を選択するための情報である。ここで、イベントトリガ報告（event triggered reporting）とは、セルの受信品質（測定結果）が後述する測定イベントのトリガ基準をトリガ時間連続して満たした場合に、測定結果を基地局装置に報告することを示す。また、測定イベントのトリガ基準をトリガ時間連続して満たした場合に、一定間隔で、ある回数だけ測定結果を報告する方法を、トリガ周期報告（event triggered periodic reporting）と称する。
【０１３４】
端末装置は、ある測定イベントにおけるトリガ基準をトリガ時間連続して満たしたと判断した場合、測定報告がトリガされた（測定報告手順がトリガされた）と判断してよい。端末装置は、測定報告手順において、測定報告（measurement report）メッセージの送信手順を開始し、基地局装置に対して測定結果を含む測定報告メッセージを送信する。トリガ量（triggerQuantity）は、測定イベントのトリガ基準を評価するために用いられる量を示し、参照信号受信電力（RSRP：Reference Signal Received Power）、または、参照信号受信品質（RSRQ：ReferenceSignal Received Quality）が指定される。すなわち、端末装置は、トリガ量（triggerQuantity）によって指定された量を下りリンクリファレンスシグナル（ＣＲＳ、または、ＣＳＩ−ＲＳ）の測定結果として使用し、イベント識別子（eventId）で指定された測定イベントのトリガ基準を満たしているか否かを判定する。
【０１３５】
測定イベントのトリガ基準として、例えばＥＵＴＲＡのセルに対して以下に示すイベントＡ１〜イベントＡ６が用いられており、それぞれ加入条件（entering condition）と離脱条件（leaving condition）がある。端末装置は、基地局装置から指定された測定イベントに対する加入条件をトリガ時間連続して満たしたと判断した場合、測定報告がトリガされた（測定報告手順がトリガされた）と判断し、測定報告手順において、測定報告メッセージの送信手順を開始する。一方、端末装置は、加入条件を満たした測定イベントの離脱条件をトリガ時間連続して満たしたと判断した場合、関連する測定報告メッセージの送信手順を停止する。
【０１３６】
なお、測定イベントに対して離脱時報告（reportOnLeave）が設定されていた場合、端末装置は、基地局装置から指定された測定イベントに対する加入条件を満たし、かつ、離脱条件を満たしたときに測定報告がトリガされた（測定報告手順がトリガされた）と判断する。
【０１３７】
＜イベント（Event）Ａ１＞
イベント（Event）A1加入条件：Ms - Hys > a1_Threshold
イベント（Event）A1離脱条件：Ms + Hys < a1_Threshold
【０１３８】
＜イベント（Event）Ａ２＞
イベント（Event）A2加入条件：Ms - Hys < a2_Threshold
イベント（Event）A2離脱条件：Ms + Hys > a2_Threshold
【０１３９】
＜イベント（Event）Ａ３＞
イベント（Event）A3加入条件：Mn + Ofn + Ocn - Hys > Mp + Ofp + Ocp + a3_Offset
イベント（Event）A3離脱条件：Mn + Ofn + Ocn + Hys < Mp + Ofp + Ocp + a3_Offset
【０１４０】
＜イベント（Event）Ａ４＞
イベント（Event）A4加入条件：Mn + Ofn + Ocn - Hys > a4_Threshold
イベント（Event）A4離脱条件：Mn + Ofn + Ocn + Hys < a4_Threshold
【０１４１】
＜イベント（Event）Ａ５＞
イベント（Event）A5加入条件1：Mp - Hys < a5_Threshold1
イベント（Event）A5加入条件2：Mn + Ofn + Ocn - Hys > a5_Threshold2
イベント（Event）A5離脱条件1：Mp + Hys > a5_Threshold1
イベント（Event）A5離脱条件2：Mn + Ofn + Ocn + Hys < a5_Threshold2
【０１４２】
＜イベント（Event）Ａ６＞
イベント（Event）A6加入条件：Mn + Ocn - Hys > Ms + Ocs + a6_Offset
イベント（Event）A6離脱条件：Mn + Ocn + Hys < Ms + Ocs + a6_Offset
【０１４３】
ここで、Ｍｓとは在圏セル（プライマリセルまたはセカンダリセル）に対する測定結果である。Ｍｐとは、プライマリセルに対する測定結果である。Ｍｎとは、周辺セル（neighbour cell）に対する測定結果である。端末装置は在圏セルの測定結果Ｍｓ、プライマリセルの測定結果Ｍｐ、または、周辺セルの測定結果Ｍｎを用いて各イベントについて評価する。
【０１４４】
Hysとは、対象となる測定イベントに対するヒステリシスパラメータである。Ofnとは、周辺セルの周波数に対する周波数特有の測定オフセット値である。Ocnとは、周辺セルに対するセル特有のオフセット値である。なお、Ocnが設定されていない場合、端末装置はオフセット値を０（ゼロ）とする。
【０１４５】
Ofsとは、在圏セルの周波数に対する周波数特有のオフセット値である。Ocsとは、在圏セルに対するセル特有の測定オフセット値である。
【０１４６】
Ofpとは、プライマリセルの周波数に対する周波数特有のオフセット値である。Ocpとは、プライマリセルに対するセル特有のオフセット値である。
【０１４７】
a1_Thresholdとは、イベントＡ１に対して適用されるスレッショルドパラメータである。a2_Thresholdとは、イベントＡ２に対して適用されるスレッショルドパラメータである。a3_Offsetとは、イベントＡ３に対して適用されるオフセットパラメータである。a4_Thresholdとは、イベントＡ４に対して適用されるスレッショルドパラメータである。a5_Threshold1とa5_Threshold2とは、それぞれイベントＡ５に対して適用されるスレッショルドパラメータである。a6_Offsetとは、イベントＡ６に対して適用されるオフセットパラメータである。
【０１４８】
また、同様に、測定イベントのトリガ基準として、ＣＳＩ−ＲＳリソースに対するイベントＣ１とイベントＣ２が用いられており、それぞれ加入条件（entering condition）と離脱条件（leaving condition）がある。端末装置は、基地局装置から指定された測定イベントに対する加入条件をトリガ時間連続して満たしたと判断した場合に、測定報告がトリガされた（測定報告手順がトリガされた）と判断し、測定報告メッセージの送信手順を開始する。一方、端末装置は、加入条件を満たした測定イベントの離脱条件をトリガ時間連続して満たしたと判断した場合、関連する測定報告メッセージの送信手順を停止する。
【０１４９】
＜イベント（Event）Ｃ１＞
イベント（Event）C1加入条件：Mcr + Ocr - Hys > c1_Threshold
イベント（Event）C1離脱条件：Mcr + Ocr + Hys < c1_Threshold
【０１５０】
＜イベント（Event）Ｃ２＞
イベント（Event）C2加入条件：Mcr + Ocr - Hys > Mref + Oref + c2_Offset
イベント（Event）C2離脱条件：Mcr + Ocr + Hys < Mref + Oref + c2_Offset
【０１５１】
ここで、ＭｃｒとはＣＳＩ−ＲＳリソースの測定結果（すなわち、指定されたＣＳＩ−ＲＳリソースで受信されるＣＳＩ−ＲＳの測定結果）である。Ｍｒｅｆとは、リファレンスＣＳＩ−ＲＳリソースの測定結果（基地局装置からリファレンスＣＳＩ−ＲＳリソースであると指定されたＣＳＩ−ＲＳリソースでのＣＳＩ−ＲＳの測定結果）である。
【０１５２】
Hysとは、対象となる測定イベントに対するヒステリシスパラメータである。Ocrとは、ＣＳＩ−ＲＳリソース特有の測定オフセット値である。Orefとは、リファレンスＣＳＩ−ＲＳリソース特有のオフセット値である。
【０１５３】
c1_Thresholdとは、イベントＣ１に対して適用されるスレッショルドパラメータである。c2_Offsetとは、イベントＣ２に対して適用される測定オフセット値である。
【０１５４】
以上の事項を考慮しつつ、以下、添付図面を参照しながら本発明の適切な実施形態について詳細に説明する。なお、本発明の実施形態の説明において、本発明の実施形態に関連した公知の機能や構成についての具体的な説明が、本発明の実施形態の要旨を不明瞭にすると判断される場合には、その詳細な説明を省略する。
【０１５５】
＜第１の実施形態＞
本発明の第１の実施形態について以下に説明する。
【０１５６】
図１は、本発明の第１の実施形態による端末装置１の一例を示すブロック図である。本端末装置１は、受信アンテナ部Ｒ０１、受信部１０１、復調部１０２、復号部１０３、受信データ制御部１０４、物理レイヤ制御部１０５、送信データ制御部１０６、符号部１０７、変調部１０８、送信部１０９、送信アンテナ部Ｔ０１、無線リソース制御部１１０から少なくとも構成される。図中の「部」とは、セクション、回路、構成装置、デバイス、ユニットなど用語によっても表現される、端末装置１の機能および各手順を実現する要素である。
【０１５７】
無線リソース制御部１１０は、端末装置１の状態制御、測定制御及び報告制御、共通制御情報及び個別制御情報の制御、接続制御、移動制御、無線リソース制御などを執り行うＲＲＣ（Ｒａｄｉｏ  Ｒｅｓｏｕｒｃｅ  Ｃｏｎｔｒｏｌ）層の各機能を実行するブロックである。また、受信データ制御部１０４と送信データ制御部１０６は、データリンク層を管理するＭＡＣ（Ｍｅｄｉｕｍ  Ａｃｃｅｓｓ  Ｃｏｎｔｒｏｌ）層、ＲＬＣ（Ｒａｄｉｏ  Ｌｉｎｋ  Ｃｏｎｔｒｏｌ）層、ＰＤＣＰ（Ｐａｃｋｅｔ  Ｄａｔａ  Ｃｏｎｖｅｒｇｅｎｃｅ  Ｐｒｏｔｏｃｏｌ）層における各機能を実行するブロックである。
【０１５８】
なお、端末装置１は、キャリア・アグリゲーション、および／またはデュアルコネクティビティによる複数の周波数（周波数帯、周波数帯域幅）またはセルの同時受信をサポートするために受信系のブロック（受信部１０１、復調部１０２、復号部１０３）、および複数の周波数（周波数帯、周波数帯域幅）またはセルの同時送信をサポートするために送信系のブロック（符号部１０７、変調部１０８、送信部１０９）を複数備える構成であってもよい。また、端末装置１は、受信データ制御部１０４、物理レイヤ制御部１０５、送信データ制御部１０６、無線リソース制御部１１０を複数備える構成であってもよい。
【０１５９】
端末装置１の受信処理に関し、無線リソース制御部１１０より受信データ制御部１０４へ受信データ制御情報が入力され、物理レイヤ制御部１０５には各ブロックを制御するための制御パラメータである物理レイヤ制御情報が入力される。物理レイヤ制御情報は、受信制御情報と送信制御情報によって構成される端末装置１の無線通信制御に必要なパラメータ設定を含む情報である。
【０１６０】
物理レイヤ制御情報は、基地局装置２から端末装置１に対して個別（ｄｅｄｉｃａｔｅｄ）に送信される無線接続リソース設定、セル固有の報知情報、またはシステムパラメータなどによって設定され、無線リソース制御部１１０が必要に応じて物理レイヤ制御部１０５へ入力する。物理レイヤ制御部１０５は、受信に関する制御情報である受信制御情報を、受信部１０１、復調部１０２、復号部１０３へ適切に入力する。
【０１６１】
受信制御情報は、下りリンクスケジューリング情報として、受信周波数帯域の情報、物理チャネルと物理シグナルに関する受信タイミング、多重方法、無線リソース配置情報などの情報が含まれている。また、受信データ制御情報は、セカンダリセル不活性化タイマー情報、ＤＲＸ（Ｄｉｓｃｏｎｔｉｎｕｏｕｓ  Ｒｅｃｅｐｔｉｏｎ）制御情報、マルチキャストデータ受信情報、下りリンク再送制御情報などを含む下りリンクの制御情報であり、ＭＡＣ層、ＲＬＣ層、ＰＤＣＰ層におけるそれぞれの下りリンクに関する制御情報が含まれている。
【０１６２】
受信信号は、受信アンテナ部Ｒ０１によって受信され、受信部１０１に入力される。受信部１０１は、受信制御情報で指定された周波数と周波数帯域に従って基地局装置２からの信号を受信する。受信部１０１はＲＦ回路を含んでもよい。受信された信号は復調部１０２へと入力される。復調部１０２は信号の復調を行う。復調部１０２は、復号部１０３へと復調後の信号を入力する。復号部１０３は、入力された信号を復号し、復号された各データ（下りリンクデータと下りリンク制御データ）を受信データ制御部１０４へと入力する。また、各データと共に基地局装置２から送信されたＭＡＣ制御要素も復号部１０３で復号され、受信データ制御部１０４へと入力される。
【０１６３】
受信データ制御部１０４は、受信したＭＡＣ制御要素に基づく物理レイヤ制御部１０５の制御、復号された各データのバッファリング制御、再送されたデータの誤り訂正制御（ＨＡＲＱ）などを行う。受信データ制御部１０４へ入力された各データは、無線リソース制御部１１０へと入力（転送）される。
【０１６４】
また、端末装置１の送信処理に関し、無線リソース制御部１１０より送信データ制御部１０６へ送信データ制御情報が入力され、物理レイヤ制御部１０５には各ブロックを制御するための制御パラメータである物理レイヤ制御情報が入力される。物理レイヤ制御部１０５は、送信に関する制御情報である送信制御情報を、符号部１０７、変調部１０８、送信部１０９へ適切に入力する。送信制御情報は、上りリンクスケジューリング情報として、符号化情報、変調情報、送信周波数帯域の情報、物理チャネルと物理シグナルに関する送信タイミング、多重方法、無線リソース配置情報などの情報が含まれている。
【０１６５】
また、送信データ制御情報は、ＤＴＸ（Ｄｉｓｃｏｎｔｉｎｕｏｕｓ  Ｔｒａｎｓｍｉｓｓｉｏｎ）制御情報、ランダムアクセス設定情報、上りリンク共用チャネル情報、論理チャネルプライオリティ情報、リソース要求設定情報、セルグループ情報、上りリンク再送制御情報などを含む上りリンクの制御情報である。無線リソース制御部１１０は、複数のセルにそれぞれ対応した複数のランダムアクセス設定情報を送信データ制御部１０６に設定してもよい。また、無線リソース制御部１１０は、上りリンク送信タイミングの調整に用いる送信タイミング調整情報と送信タイミングタイマーを管理し、セル毎（またはセルグループ毎、ＴＡグループ毎）に上りリンク送信タイミングの状態（送信タイミング調整状態または送信タイミング非調整状態）を管理する。送信タイミング調整情報と送信タイミングタイマーは、送信データ制御情報に含まれる。
【０１６６】
なお、複数の上りリンク送信タイミングの状態を管理する必要がある場合、送信データ制御部１０６は、複数のそれぞれのセル（またはセルグループ、ＴＡグループ）の上りリンク送信タイミングに関連する送信タイミング調整情報を管理する。リソース要求設定情報には、少なくとも最大送信カウンタ設定情報と無線リソース要求禁止タイマー情報とが含まれている。無線リソース制御部１１０は、複数のセルにそれぞれ対応した複数のリソース要求設定情報を送信データ制御部１０６に設定してもよい。
【０１６７】
端末装置１で生起した送信データ（上りリンクデータと上りリンク制御データ）は、無線リソース制御部１１０より任意のタイミングで送信データ制御部１０６に入力される。このとき、送信データ制御部１０６は、入力された送信データの量（上りリンクバッファ量）を計算する。また、送信データ制御部１０６は、入力された送信データが制御平面に属するデータなのか、ユーザ平面に属するデータなのかを判別する機能を有する。
【０１６８】
また、送信データ制御部１０６は、送信データ制御部１０６に対して送信データが入力されたときに、送信データ制御部１０６内（図示せず）の上りリンクバッファに送信データを格納する。そして、送信データ制御部１０６は、入力された送信データの送信に必要な無線リソースが端末装置１に対して割り当てられているかを判断する。送信データ制御部１０６は、無線リソース割り当てに基づいて、物理上りリンク共用チャネルＰＵＳＣＨ、物理上りリンク制御チャネルＰＵＣＣＨを用いた無線リソース要求（スケジューリングリクエスト（ＳＲ））、または物理ランダムアクセスチャネルを用いた無線リソース要求のいずれか一つを選択し、選択したチャネルを送信するための制御処理を物理レイヤ制御部１０５に対して要求する。
【０１６９】
すなわち、すでに無線リソースが割り当てられており、送信データを物理上りリンク共用チャネルＰＵＳＣＨで送信可能な状態であるとき、符号部１０７は、無線リソース制御部１１０の指示に従って割り当て済みの無線リソースに対応する送信データを上りリンクバッファから取得して符号化し、変調部１０８へと入力する。または、無線リソースが割り当てられていないときで、物理上りリンク制御チャネルによる無線リソース要求が可能であるとき、符号部１０７は、無線リソース制御部１１０の指示に従って物理上りリンク制御チャネルによる無線リソース要求の送信に必要な制御データを符号化し、変調部１０８へと入力する。
【０１７０】
または、無線リソースが割り当てられていないときで、物理上りリンク制御チャネルによる無線リソース要求が不可能であるとき、符号部１０７は、送信データ制御部１０６に対してランダムアクセス手順の開始を指示する。このとき、符号部１０７は、送信データ制御部１０６から入力されるランダムアクセス設定情報に基づき物理ランダムアクセスチャネルで送信されるプリアンブル系列を生成する。また、符号部１０７は、送信制御情報に従って各データを適切に符号化し、変調部１０８へと入力する。
【０１７１】
変調部１０８は、符号化された各データを送信するチャネル構造に基づいて適切な変調処理を行う。送信部１０９は、変調処理された各データを周波数領域にマッピングすると共に、周波数領域の信号を時間領域の信号へ変換し、既定の周波数の搬送波にのせて電力増幅を行う。送信部１０９は、また、無線リソース制御部１１０より入力されたセル毎（またセルグループ毎、ＴＡグループ毎）の送信タイミング調整情報に従って上りリンク送信タイミングを調整する。送信部１０９はＲＦ回路を含んでもよい。送信部１０９から出力された送信信号は、送信アンテナ部Ｔ０１から送信される。上りリンク制御データが配置される物理上りリンク共用チャネルは、ユーザデータの他に、例えばレイヤ３メッセージ（無線リソース制御メッセージ；ＲＲＣメッセージ）を含めることも可能である。
【０１７２】
図１において、その他の端末装置１の構成要素や、構成要素間のデータ（制御情報）の伝送経路については省略してあるが、端末装置１として動作するために必要なその他の機能を有する複数のブロックを構成要素として持つことは明らかである。例えば、無線リソース制御部１１０の上位には、コアネットワークとの制御を執り行うＮＡＳレイヤ部や、アプリケーションレイヤ部が存在している。
【０１７３】
また、受信アンテナ部Ｒ０１または送信アンテナ部Ｔ０１は、典型的には平面状のマルチバンドアンテナであるが、端末装置１の能力、形状、目的などに適した任意のアンテナを採用して構成することができる。例えば、複数のアンテナ部で構成されていてもよいし、指向性を有していてもよいし、受信アンテナ部Ｒ０１および送信アンテナ部Ｔ０１が一体となっていてもよい。受信アンテナ部Ｒ０１および送信アンテナ部Ｔ０１は、物理的に異なる、または、論理的に分離された複数のアンテナポートから構成されてもよい。
【０１７４】
図２は、本発明の第１の実施形態による基地局装置２の一例を示すブロック図である。本基地局装置は、受信アンテナ部Ｒ０２、受信部２０１、復調部２０２、復号部２０３、受信データ制御部２０４、物理レイヤ制御部２０５、送信データ制御部２０６、符号部２０７、変調部２０８、送信部２０９、送信アンテナ部Ｔ０２、無線リソース制御部２１０、ネットワーク信号送受信部２１１から少なくとも構成される。図中の「部」とは、セクション、回路、構成装置、デバイス、ユニットなどの用語によっても表現される、基地局装置２の機能および各手順を実行する要素である。
【０１７５】
無線リソース制御部２１０は、基地局装置２の無線リソース制御を執り行うＲＲＣ（Ｒａｄｉｏ  Ｒｅｓｏｕｒｃｅ  Ｃｏｎｔｒｏｌ）層の各機能を実行するブロックである。また、受信データ制御部２０４と送信データ制御部２０６は、データリンク層を管理するＭＡＣ（Ｍｅｄｉｕｍ  Ａｃｃｅｓｓ  Ｃｏｎｔｒｏｌ）層、ＲＬＣ（Ｒａｄｉｏ  Ｌｉｎｋ  Ｃｏｎｔｒｏｌ）層、ＰＤＣＰ（Ｐａｃｋｅｔ  Ｄａｔａ  Ｃｏｎｖｅｒｇｅｎｃｅ  Ｐｒｏｔｏｃｏｌ）層における各機能を実行するブロックである。
【０１７６】
なお、基地局装置２は、キャリア・アグリゲーション、および／またはデュアルコネクティビティによる複数の周波数（周波数帯、周波数帯域幅）をサポートするために受信系のブロック（受信部２０１、復調部２０２、復号部２０３）、および送信系のブロック（符号部２０７、変調部２０８、送信部２０９）を複数備える構成であってもよい。また、受信データ制御部２０４、物理レイヤ制御部２０５、送信データ制御部２０６、無線リソース制御部２１０、ネットワーク信号送受信部２１１を複数備える構成であってもよい。
【０１７７】
無線リソース制御部２１０は、下りリンクデータと下りリンク制御データを送信データ制御部２０６へと入力する。送信データ制御部２０６は、端末装置１へ送信するＭＡＣ制御要素が存在する場合、ＭＡＣ制御要素と各データ（下りリンクデータまたは下りリンク制御データ）を符号部２０７へと入力する。符号部２０７は、入力されたＭＡＣ制御要素と各データを符号化し、変調部２０８へと入力する。変調部２０８は、符号化された信号の変調を行なう。
【０１７８】
また、変調部２０８で変調された信号は送信部２０９に入力される。送信部２０９は、入力された信号を周波数領域にマッピングした後、周波数領域の信号を時間領域の信号へ変換し、既定の周波数の搬送波にのせて電力増幅を行う。送信部２０９はＲＦ回路を含んでもよい。送信部２０９から出力された送信信号は、送信アンテナ部Ｔ０２から送信される。下りリンク制御データが配置される物理下りリンク共用チャネルは、典型的にはレイヤ３メッセージ（ＲＲＣメッセージ）を構成する。
【０１７９】
また、受信信号は、受信アンテナ部Ｒ０２によって受信され、受信部２０１に入力される。受信部２０１は、端末装置１から受信した信号をベースバンドのデジタル信号に変換する。端末装置１に対して異なる複数の送信タイミングのセルを設定している場合、受信部２０１はセル毎（またセルグループ毎、ＴＡグループ毎）に異なるタイミングで信号を受信する。受信部２０１で変換されたデジタル信号は、復調部２０２へ入力されて復調される。
【０１８０】
復調部２０２で復調された信号は続いて復号部２０３へと入力される。復号部２０３は、入力された信号を復号し、復号された各データ（上りリンクデータと上りリンク制御データ）を受信データ制御部２０４へと入力する。また、各データと共に端末装置１から送信されたＭＡＣ制御要素も復号部２０３で復号され、受信データ制御部２０４へと入力される。
【０１８１】
受信データ制御部２０４は、受信したＭＡＣ制御要素に基づく物理レイヤ制御部２０５の制御や、復号された各データをバッファリングし、再送されたデータの誤り訂正制御（ＨＡＲＱ）を行う。受信データ制御部２０４へ入力された各データは、無線リソース制御部２１０へと入力（転送）される。
【０１８２】
これら各ブロックの制御に必要な物理レイヤ制御情報は、受信制御情報と送信制御情報によって構成される基地局装置２の無線通信制御に必要なパラメータ設定を含む情報である。物理レイヤ制御情報は、上位のネットワーク装置（ＭＭＥやゲートウェイ装置（ＳＧＷ）、ＯＡＭなど）やシステムパラメータにより設定され、無線リソース制御部２１０が必要に応じて制御部２０４へ入力する。
【０１８３】
物理レイヤ制御部２０５は、送信に関連する物理レイヤ制御情報を送信制御情報として符号部２０７、変調部２０８、送信部２０９の各ブロックに入力し、受信に関連する物理レイヤ制御情報を受信制御情報として受信部２０１、復調部２０２、復号部２０３の各ブロックに適切に入力する。
【０１８４】
受信データ制御情報は、基地局装置２のＭＡＣ層、ＲＬＣ層、ＰＤＣＰ層のそれぞれに対する端末装置１の上りリンクに関する制御情報が含まれている。また、送信データ制御情報は、基地局装置２のＭＡＣ層、ＲＬＣ層、ＰＤＣＰ層のそれぞれに対する端末装置１の下りリンクに関する制御情報が含まれている。すなわち、受信データ制御情報と送信データ制御情報は、端末装置１毎に設定されている。
【０１８５】
ネットワーク信号送受信部２１１は、基地局装置２間あるいは上位のネットワーク装置（ＭＭＥ、ＳＧＷ）と基地局装置２との間の制御メッセージ、またはユーザデータの送信（転送）または受信を行なう。図２において、その他の基地局装置２の構成要素や、構成要素間のデータ（制御情報）の伝送経路については省略してあるが、基地局装置２として動作するために必要なその他の機能を有する複数のブロックを構成要素として持つことは明らかである。例えば、無線リソース制御部２１０の上位には、無線リソース管理（Ｒａｄｉｏ  Ｒｅｓｏｕｒｃｅ  Ｍａｎａｇｅｍｅｎｔ）部や、アプリケーションレイヤ部が存在している。
【０１８６】
また、受信アンテナ部Ｒ０２または送信アンテナ部Ｔ０２は、典型的には平面状のマルチバンドアンテナであるが、基地局装置２の送信能力、形状、目的などに適した任意のアンテナを採用して構成することができる。例えば、複数のアンテナ部で構成されていてもよいし、指向性を有していてもよいし、受信アンテナ部Ｒ０２および送信アンテナ部Ｔ０２が一体となっていてもよい。さらに、受信アンテナ部Ｒ０２および送信アンテナ部Ｔ０２（受信部２０１と送信部２０９を含めてもよい）を基地局装置２から独立した一つのユニット（Ｒｅｍｏｔｅ  Ｒａｄｉｏ  Ｈｅａｄ：ＲＲＨ）として構成し、基地局装置２と異なる位置に配置してもよい。
【０１８７】
図３は、基地局装置２から端末装置１に通知（設定）される測定設定（Measurement configuration）に含まれる、測定対象（Measurement object(s)）に関するパラメータ（情報要素）を説明するための図である。
【０１８８】
基地局装置２は、一つ以上の測定対象をリスト（MeasObject-List）に含めて通知することができる。それぞれの測定対象には関連する測定対象識別子が一つ設定される。図３の例では、測定対象EUTRA（MeasObjectEUTRA#1、MeasObjectEUTRA#2）が２つ設定され、それぞれの測定対象EUTRAには、それぞれ異なる測定対象識別子（measObjId#1、measObjId#2）が設定される。基地局装置２は、追加、削除、または、変更される測定対象について、測定対象識別子を用いて端末装置１に通知する。なお、図３において、リストに含まれる測定対象は測定対象EUTRAに限らず、他の無線アクセス技術に対応する測定対象（例えば、測定対象UTRA（measObjectUTRA）や測定対象GERAN（measObjectGERAN））でもよい。
【０１８９】
測定対象EUTRAは、更に、搬送波周波数（carrierFreq）、ＲＳＳＩ測定帯域幅（RSSI-MeasBandwidth）、許可測定帯域幅（AllowedMeasBandwidth）、オフセット周波数（offsetFreq）、周辺セルリスト（neighbour cell list）に関する情報、ブラックリスト（blacklist）に関する情報、ワイドバンドＲＳＲＱ測定（widebandRSRQ-Meas）、ディスカバリ信号測定設定（measDS-Config）などを含めることができる。
【０１９０】
搬送波周波数（carrierFreq）とは、周波数バンドとその周波数を一意に示すためのパラメータであり、具体的には、所定の計算式の変数に用いられる一つの整数値が通知される。例えば、ＥＵＴＲＡのバンドを示す際には０〜６５５３５のいずれかの値が設定される。搬送波周波数（carrierFreq）として非ライセンスバンドを指定する際に、従来とは異なるレンジの値が新規に設定されてもよいし、異なる計算式が用いられてもよい。
【０１９１】
ＲＳＳＩ測定帯域幅とは、ＲＳＳＩ測定に関する新規のパラメータであり、ＲＳＳＩ測定を行う際に適用される最大許可測定帯域幅をリソースブロック数で示したものである。なお、新規に追加されるパラメータは、ＲＲＣメッセージ内の追加フィールド（拡張フィールド）内に設定されることが望ましい。基地局装置２は、ＲＳＳＩ測定帯域幅として、例えば、６、１５、２５、５０、７５、１００のいずれかのリソースブロック数を端末装置１に指定（通知）する。端末装置１は、ＲＳＳＩ測定帯域幅に関連する測定対象EUTRAにおいてＲＳＳＩ測定を行う場合、指定されたリソースブロック数を最大許可測定帯域幅としてよい。換言すれば、端末装置１は、ＲＳＳＩ測定帯域幅を含む測定対象EUTRAに関する周波数のＲＳＳＩ測定を行う場合、ＲＳＳＩ測定帯域幅で指定されたリソースブロック数を測定帯域幅の上限としてＲＳＳＩ測定を行ってよい。
【０１９２】
あるいは、ＲＳＳＩ測定帯域幅とは、ＲＳＳＩ測定を行う際に適用される最小要求測定帯域幅をリソースブロック数で示したものである。端末装置１は、ＲＳＳＩ測定帯域幅に関連する測定対象EUTRAにおいてＲＳＳＩ測定を行う場合、指定されたリソースブロック数を最小要求測定帯域幅としてよい。換言すれば、端末装置１は、ＲＳＳＩ測定帯域幅を含む測定対象EUTRAに関する周波数のＲＳＳＩ測定を行う場合、ＲＳＳＩ測定帯域幅で指定されたリソースブロック数を測定帯域幅の下限としてＲＳＳＩ測定を行ってよい。
【０１９３】
なお、端末装置１は、ＲＳＲＱ測定に関するワイドバンドＲＳＲＱ測定（widebandRSRQ-Meas）が真（ＴＲＵＥ）として通知された場合、ＲＳＲＱ測定に適用される測定帯域幅（すなわち、６リソースブロック以上の測定帯域幅）を、ＲＳＳＩ測定を行う際の測定帯域幅として適用してもよい。
【０１９４】
ディスカバリ信号測定設定（measDS-Config）は、更に、ディスカバリ信号送信機会（ＤＭＴＣ  ｏｃｃａｓｉｏｎ）の周期および時間オフセットを示す情報（ＤＭＴＣ周期オフセット（dmtcPeriodOffset））、ディスカバリ信号送信機会の長さを示す情報（ディスカバリ信号期間（ds-OccasionDuration））、ＣＳＩ−ＲＳリソース測定設定（MeasCSI-RS-Config）などを含めることができる。なお、複数のＣＳＩ−ＲＳリソース測定設定（MeasCSI-RS-Config#1〜MeasCSI-RS-Config#n）をディスカバリ信号測定設定に含めることもできる。このとき、基地局装置は、複数のＣＳＩ−ＲＳリソース測定設定を識別するための識別子（測定ＣＳＩ−ＲＳリソース識別子（MeasCSI-RS-Id））を含めてもよい。
【０１９５】
また、ディスカバリ信号測定設定は、測定ＲＳＳＩ設定（MeasRSSI-Config）を含めてもよい。上述したＲＳＳＩ測定帯域幅は、測定ＲＳＳＩ設定に含まれていてもよい。なお、これ以外のパラメータがディスカバリ信号測定設定に含まれていてもよい。ディスカバリ信号測定設定（measDS-Config）は、非ライセンスバンド向けの異なるディスカバリ信号に対応した第２のディスカバリ信号測定設定（measDS-Config2）であってもよい。
【０１９６】
図４は、基地局装置２から端末装置１に通知（設定）される測定設定（Measurement configuration）に含まれる、報告設定（Reporting configuration(s)）に関するパラメータ（情報要素）を説明するための図である。
【０１９７】
基地局装置２は、一つ以上の報告設定をリスト（ReportingCconfig-List）にして通知することができる。それぞれの報告設定には関連する報告設定識別子（reportConfigId）が一つ設定される。図４の例では、報告設定EUTRA（reportConfigEUTRA#1、reportConfigEUTRA#2）が２つ設定され、それぞれの報告設定EUTRAには、それぞれ異なる報告設定識別子（reportConfigId#1、reportConfigId#2）が設定される。基地局装置２は、追加、削除、または、変更される報告設定について、報告設定識別子を用いて端末装置１に通知する。なお、図４において、リストに含まれる報告設定は報告設定EUTRAに限らず、他の無線アクセス技術に対応する報告設定（例えば、報告設定Inter-RAT（reportConfigInterRAT））でもよい。
【０１９８】
報告設定EUTRAは、更に、トリガタイプ（triggerType）、報告間隔（reportInterval）、報告数（reportAmount）、報告ＲＳＳＩ測定（reportRSSI-Meas）、複数のＲＳＳＩ閾値（RSSI threshold）、測定ＲＳＳＩ区間（RSSI-duration）などを含めることができる。なお、これ以外のパラメータが報告設定EUTRAに含まれていてもよい。例えば、トリガタイプ（triggerType）がイベントである場合は、各イベントに対応するパラメータ（上述したヒステリシスパラメータHysなど）が含まれていてもよい。
【０１９９】
トリガタイプ（triggerType）は、報告設定EUTRAで定義される報告のトリガがイベント報告型（event）と周期報告型（periodical）のどちらであるかを示す。イベント報告型は、イベントＡ１〜Ａ６やイベントＣ１〜Ｃ２などで定義されるトリガ基準を満たした場合に測定報告手順に実施する。一方、周期報告型は、ある測定時間が経過したときに周期的に側的結果が報告される。報告間隔（reportInterval）と、報告数（reportAmount）は周期報告型の報告に用いるパラメータである。
【０２００】
報告間隔で示される時間は、周期報告タイマー（periodical reporting timer）としてそれぞれの測定識別子に対して適用される。端末装置１は、周期報告タイマーが満了したときに内部変数である報告送信回数（numberOfReportsSent）をインクリメントする。端末装置１は、報告送信回数が報告数未満の場合は周期報告タイマーをスタートし、報告送信回数が報告数以上となった場合は関連する測定識別子を除去（remove）する。端末装置１は、周期報告タイマーが満了したときに、測定報告がトリガ（測定報告手順がトリガ）されたと判断する。
【０２０１】
報告ＲＳＳＩ測定（reportRSSI-Meas）は、関連する測定対象の周波数のＲＳＳＩを周期的に報告するか否かを示すパラメータである。換言すれば、報告ＲＳＳＩ測定は、端末装置１において、周期的ＲＳＳＩ測定報告（periodical RSSI measurement report）を実行するか否かを示すパラメータである。基地局装置２は、関連する測定対象にディスカバリ信号測定設定（measDS-Config）が含まれている場合にのみ報告ＲＳＳＩ測定を設定してもよい。真偽値で指定される場合、基地局装置２は、ディスカバリ信号測定設定（measDS-Config）が関連する測定対象（報告設定識別子とリンクされている測定対象識別子の測定対象）に含まれている場合にのみ、報告ＲＳＳＩ測定の値を真値（ＴＲＵＥ）に設定（通知）してもよい。
【０２０２】
基地局装置２は、報告ＲＳＳＩ測定を設定する場合のトリガタイプを、必ず周期報告型（periodical）に指定してもよい。基地局装置２は、報告ＲＳＳＩ測定を設定する場合の報告数（reportAmount）を必ず１回に指定してもよい。端末装置１は、何らかの測定報告がトリガされたときに、報告可能なＲＳＳＩ結果（rssiResults）を保持しているならば、そのＲＳＳＩ結果を測定結果として測定報告メッセージに含めて報告してもよい。または、端末装置１は、ＲＳＳＩに関する周期報告型、またはイベント報告型の測定報告がトリガされたときに、報告可能なＲＳＳＩ結果を保持しているならば、そのＲＳＳＩ結果を測定結果として測定報告メッセージに含めて報告してもよい。このとき、端末装置１は、ＲＳＳＩ結果が初めて報告可能となったときに、内部変数である報告送信回数（numberOfReportsSent）の値を０（ゼロ）に設定してもよい。
【０２０３】
ＲＳＳＩ閾値（RSSI threshold）は、例えば、隠れ端末問題のためのＲＳＳＩ報告に必要となるパラメータである。なお、ＲＳＳＩ閾値は、明示的な値（例えば、ｄＢｍ）でもよいし、事前に定義された閾値にマッピングされるインデックスの値でもよいし、閾値を求める計算式に導入される変数の値を指定するものでもよい。ＲＳＳＩ閾値は複数設定されてもよい。端末装置１は、測定したＲＳＳＩと閾値を比較する。
【０２０４】
例えば、基地局装置２から閾値１と閾値２（閾値１ < 閾値２とする）が通知された場合、端末装置１は、ＲＳＳＩが閾値１を下回った回数、ＲＳＳＩが閾値１を超え、かつ、閾値２を下回った回数、ＲＳＳＩが閾値２を超えた回数をそれぞれカウントしてもよい。または、端末装置１は、ＲＳＳＩが閾値１を下回った時間、ＲＳＳＩが閾値１を超え、かつ、閾値２を下回った時間、ＲＳＳＩが閾値２を超えた時間をそれぞれ割合（パーセンテージ）で示してもよい。
【０２０５】
測定ＲＳＳＩ区間（RSSI-duration）は、例えば、隠れ端末問題のためのＲＳＳＩ報告に必要となる別のパラメータであり、ＲＳＳＩ測定を行う区間長を示す。区間長は、連続する時間を示してもよいし、不連続の時間を合計したものを示してもよい。なお、測定ＲＳＳＩ区間は、フレーム、サブフレーム、ｍｓ（ミリセカンド）などの明示的な値でもよいし、ディスカバリ信号送信機会（ＤＭＴＣ  Ｏｃｃａｓｉｏｎ）の回数を指定するものでもよいし、ＲＳＳＩの測定回数を示す数値でもよいし、ディスカバリ信号送信機会（ＤＭＴＣ  Ｏｃｃａｓｉｏｎ）内のあるサブセット区間を示すものでもよいし、ＲＳＳＩ測定を行うサブフレームをビットマップ形式で示したものでもよい。測定ＲＳＳＩ区間は、ＲＲＣタイマーとして指定されてもよい。端末装置１は、測定識別子と報告設定が対応づけられた場合に、測定ＲＳＳＩ区間を示すＲＲＣタイマーを開始してもよい。ＲＲＣタイマーは、例えばタイマーＴ３２２である。
【０２０６】
すなわち、端末装置１は、測定識別子の追加（変更）が行なわれる場合において、それぞれの測定識別子に対して、関連する報告設定のトリガタイプが周期報告型であり、かつ、関連する報告設定に報告ＲＳＳＩ測定が含まれていた場合、測定ＲＳＳＩ区間によって示されるＲＲＣタイマーを開始してもよい。
【０２０７】
ＲＳＳＩ閾値（RSSI threshold）と報告ＲＳＳＩ測定（reportRSSI-Meas）は、報告設定内にリストされるパラメータセットとして通知（設定）されてもよい。例えば、基地局装置２は、各パラメータセットに関連する測定ＲＳＳＩ識別子（reportRSSI-Id）を通知（設定）することによって、端末装置１に対して（ＲＳＳＩ閾値と報告ＲＳＳＩ測定を含む）パラメータセットの追加、変更、削除を行ってもよい。
【０２０８】
端末装置１は、保持している測定識別子の対応関係に変更があったとき、または、保持している測定識別子が除去（remove）されたとき、計時中（running）のＲＲＣタイマーを停止してもよい。対応関係の変更とは、例えば、異なる測定設定識別子、または、異なる報告識別子が同一の測定識別子に対して設定されること（すなわち、置き換え（replace））である。
【０２０９】
測定ＲＳＳＩ区間は、明示的な測定の開始タイミング（例えば、測定開始となるシステムフレーム、および／または、サブフレーム）が指定されてもよい。あるいは、測定ＲＳＳＩ区間を明示せずに、ある事前定義された値がＲＲＣタイマーとして設定されてもよい。端末装置１は、測定識別子と報告設定が対応付けられた場合に、かかるＲＲＣタイマーを開始してもよい。また、測定ＲＳＳＩ区間はシステム情報で通知されてもよい。また、ＲＲＣのパラメータに基づいて複数の事前定義の値を切り替えられるようにしてもよいし、関連する測定対象に基づいて所定の値が設定されてもよい。
【０２１０】
図３と図４に示したパラメータを用いたＲＳＳＩ測定の方法について以下に説明する。図３における測定対象と、図４における報告設定とは、測定識別子（measId）によって一対一に対応付けられる。換言すれば、基地局装置２は、図３のある一つの測定対象識別子（measObjectId）と、図４のある一つの報告識別子（reportConfigId）とを対応付ける（リンクする）ための、一つの測定識別子（measId）を端末装置１に通知（設定）する。なお、基地局装置２は、一つの測定対象識別子（measObjectId）に複数の別の報告識別子（reportConfigId）がリンクするように設定してもよい。同様に、基地局装置２は、一つの報告識別子（reportConfigId）に複数の別の測定対象識別子（measObjectId）がリンクするように設定してもよい。
【０２１１】
端末装置１は、少なくともＲＲＣ接続状態（ＲＲＣ＿ＣＯＮＮＥＣＴＥＤ、通信中状態）であり、一つ以上の非ライセンスバンドの周波数が測定対象（measObject）として設定されている。基地局装置２は、端末装置１に対し、プライマリセルに加え、一つ以上の非ライセンスバンドの周波数のセカンダリセル（ＬＡＡセル）を設定してもよい。換言すれば、端末装置１は、非ライセンスバンドの周波数を、サービング周波数（intra-frequency）、または、非サービング周波数（inter-frequency）として測定している。
【０２１２】
端末装置１は、それぞれの測定識別子（measId）に対し、関連する測定対象にディスカバリ信号測定設定（measDS-Config）が設定されており、かつ、その関連する測定対象にＲＳＳＩ測定に関する情報（測定パラメータ）が含まれている場合に、ＲＳＳＩ測定を行ってもよい。また、端末装置１は、それぞれの測定識別子（measId）に対し、関連する測定対象ディスカバリ信号測定設定（measDS-Config）が設定されており、かつ、関連する報告設定にＲＳＳＩ測定に関する情報（測定パラメータ）が含まれている場合（または、測定イベントが設定されている場合）に、関連する測定対象の周波数に対してディスカバリ信号測定タイミング設定を適用してＲＳＳＩ測定を行ってもよい。
【０２１３】
端末装置１は、それぞれの測定識別子（measId）に対し、関連する測定対象が測定対象EUTRAであり、かつ、その関連する測定対象にＲＳＳＩ測定に関する情報（測定パラメータ）が含まれている場合に、関連する測定対象の周波数を、ＲＳＳＩ測定（ＲＳＳＩ報告）に適切な周波数（applicable frequency）と判断（決定、推測）してよい。すなわち、端末装置１は、この関連する測定対象の周波数を、ＲＳＳＩ測定（ＲＳＳＩ報告）の対象となる周波数、または、ＲＳＳＩ測定（ＲＳＳＩ報告）が必要な周波数であると判断してもよい。例えば、端末装置１は、それぞれの測定識別子（measId）に対し、関連する測定対象にＲＳＳＩ測定帯域幅（RSSI-MeasBandwidth）が設定されている場合、関連する測定対象の周波数を、ＲＳＳＩ測定を行うのに適切な周波数（applicable frequency）であると判断してもよい。ＲＳＳＩ測定（ＲＳＳＩ報告）に適切な周波数は、ＲＳＳＩ測定（ＲＳＳＩ報告）に適切なリソース（applicable resource）と称されてもよい。
【０２１４】
また、例えば、端末装置１は、それぞれの測定識別子（measId）に対し、関連する測定対象のディスカバリ信号測定設定（measDS-Config）に測定ＲＳＳＩ設定（MeasRSSI-Config）が設定されている場合、関連する測定対象の周波数を、ＲＳＳＩ測定に適切な周波数（applicable frequency）であると判断してもよい。また、例えば、端末装置１は、それぞれの測定識別子（measId）に対し、関連する測定対象で示される搬送波周波数（carrierFreq）に対応するバンドが非ライセンスバンドである場合に、関連する測定対象の周波数を、ＲＳＳＩ測定に適切な周波数（applicable frequency）であると判断してもよい。
【０２１５】
また、端末装置１は、それぞれの測定識別子（measId）に対し、関連する測定対象が測定対象EUTRAであり、かつ、関連する報告設定にＲＳＳＩ測定に関する情報（測定パラメータ）が含まれている場合に、その関連する報告設定に関連する測定対象の周波数を、ＲＳＳＩ測定に適切な周波数（applicable frequency）であると判断してもよい。例えば、端末装置１は、それぞれの測定識別子（measId）に対し、関連する報告設定に報告ＲＳＳＩ測定（reportRSSI-Meas）が設定されている場合、関連する測定対象の周波数を、ＲＳＳＩ測定に適切な周波数（applicable frequency）であると判断してもよい。また、例えば、端末装置１は、それぞれの測定識別子（measId）に対し、関連する報告設定にＲＳＳＩに関する測定イベントが設定されている場合、関連する測定対象の周波数を、ＲＳＳＩ測定に適切な周波数（applicable frequency）であると判断してもよい。
【０２１６】
また、端末装置１は、上記に加え、関連する測定対象にディスカバリ信号測定設定（measDS-config）が設定されている場合に、関連する測定対象の周波数を、ＲＳＳＩ測定に適切な周波数（applicable frequency）であると判断してもよい。なお、ＲＳＳＩ測定に適切な周波数は、測定報告（測定報告トリガ）の対象となる周波数と称してもよいし、測定報告メッセージで報告対象となる周波数と称してもよい。なお、測定対象は、測定対象EUTRAに限らず、inter-RATの測定対象でもよいし、LAA用に追加される測定対象（例えば測定対象LAA）でもよい。
【０２１７】
端末装置１は、ＲＳＳＩ測定に適切な周波数がセカンダリセルの周波数の場合、関連するセカンダリセルが活性化状態であれば、関連する測定対象に含まれるディスカバリ信号測定タイミング設定を適用せずにＣＲＳのＲＳＲＰとＲＳＲＱを測定し、関連するセカンダリセルが不活性化状態であれば、関連する測定対象に含まれるディスカバリ信号測定タイミング設定を適用し、ディスカバリ信号期間内のＣＲＳのＲＳＲＰとＲＳＲＱを測定する。なお、端末装置１は、端末装置１がＣＲＳベースのディスカバリ信号測定をサポートしており、かつ、関連するセカンダリセルが不活性化状態の場合、セカンダリセルのＣＲＳのＲＳＲＰとＲＳＲＱを測定するときにディスカバリ信号測定タイミング設定を適用してもよい。
【０２１８】
また、端末装置１は、端末装置１がＣＳＩ−ＲＳベースのディスカバリ信号測定をサポートしている場合、ＣＳＩ−ＲＳリソースのＲＳＲＰとＲＳＲＱを測定するときにディスカバリ信号測定タイミング設定を適用してもよい。また、端末装置１は、ＲＳＳＩ測定に適切な周波数がセカンダリセルの周波数の場合、関連するセカンダリセルの状態（活性化状態、不活性化状態）に関わらず、常に関連する測定対象に含まれるディスカバリ信号測定タイミング設定を適用し、ディスカバリ信号期間内のＲＳＳＩを測定してもよい。
【０２１９】
また、端末装置１は、ＲＳＳＩ測定に適切な周波数が非サービング周波数（すなわち、inter-frequency）の場合、関連する測定対象に含まれるディスカバリ信号測定タイミング設定を適用し、ディスカバリ信号期間内のＲＳＳＩを測定してもよい。なお、端末装置１がＣＲＳベースのディスカバリ信号測定をサポートしており、かつ、関連する周波数が非サービング周波数であれば、端末装置１は、周辺セルのＣＲＳのＲＳＲＰとＲＳＲＱを測定するときに、ディスカバリ信号測定タイミング設定を適用してもよい。
【０２２０】
なお、上述した手順において、端末装置１は、ディスカバリ信号測定タイミング設定が関連する測定対象に含まれていない場合、ディスカバリ信号測定タイミング設定を適用する手順を行わなくてもよい。
【０２２１】
端末装置１は、ＯＦＤＭシンボル単位でＲＳＳＩを測定してもよい。端末装置１は、ＣＲＳが含まれるＯＦＤＭシンボル、または、ＣＲＳが検出されたＯＦＤＭシンボルのみでＲＳＳＩを測定してもよい。端末装置１は、全てのＯＦＤＭシンボルでＲＳＳＩを測定してもよい。端末装置１は、ディスカバリ信号期間（ds-OccasionDuration）を測定サブフレームとし、ディスカバリ信号期間（ds-OccasionDuration）中に測定されたＲＳＳＩを平均して測定結果としてもよい。端末装置１は、ディスカバリ信号期間（ds-OccasionDuration）中の全て、または一部のＯＦＤＭシンボルでＲＳＳＩを測定してもよいし、その測定したＲＳＳＩを平均して測定結果としてもよい。また、端末装置１は、ディスカバリ信号期間（ds-OccasionDuration）中のＲＳＳＩを一定時間ごとに周期的に測定してもよいし、その測定したＲＳＳＩを平均して測定結果としてもよい。すなわち、端末装置１は、ディスカバリ信号期間（ds-OccasionDuration）を一定時間ごと（例えば、ある一定のサブフレーム単位）に分割し、分割した時間内の全て、または一部のＯＦＤＭシンボル内でＲＳＳＩを測定し、その測定したＲＳＳＩを平均して測定結果としてもよい。
【０２２２】
また、端末装置１は、ディスカバリ信号送信機会（ＤＭＴＣ  ｏｃｃａｓｉｏｎ）を測定サブフレームとし、ディスカバリ信号送信機会（ＤＭＴＣ  ｏｃｃａｓｉｏｎ）中に測定されたＲＳＳＩを平均して測定結果としてもよい。端末装置１は、ディスカバリ信号送信機会（ＤＭＴＣ  ｏｃｃａｓｉｏｎ）中の全て、または一部のＯＦＤＭシンボルでＲＳＳＩを測定してもよいし、その測定したＲＳＳＩを平均して測定結果としてもよい。また、端末装置１は、ディスカバリ信号送信機会（ＤＭＴＣ  ｏｃｃａｓｉｏｎ）中のＲＳＳＩを一定時間ごとに周期的に測定してもよいし、その測定したＲＳＳＩをＲＳＳＩを平均して測定結果としてもよい。すなわち、端末装置１は、ディスカバリ信号送信機会（ＤＭＴＣ  ｏｃｃａｓｉｏｎ）を一定時間ごと（例えば、ある一定のサブフレーム単位）に分割し、分割した時間内の全て、または一部のＯＦＤＭシンボル内でＲＳＳＩを測定し、その測定したＲＳＳＩを平均して測定結果としてもよい。
【０２２３】
また、端末装置１は、ディスカバリ信号期間（ds-OccasionDuration）、あるいは、ディスカバリ信号送信機会（ＤＭＴＣ  ｏｃｃａｓｉｏｎ）中において、基地局装置２から指定された情報に基づいて、ある特定のＯＦＤＭシンボルのみをＲＳＳＩ測定に用いてもよいし、ＣＳＩ−ＲＳリソース測定設定（MeasCSI-RS-Config）で指定されるＣＳＩ−ＲＳリソースをＲＳＳＩ測定に用いてもよいし、ある特定のサブフレームのみをＲＳＳＩ測定に用いてもよい。また、端末装置１は、活性化状態のセカンダリセルの周波数ではＲＳＳＩ測定を行わなくてもよい。
【０２２４】
端末装置１は、報告設定に基づいてトリガされた測定報告に関連する測定識別子に対して、ＲＳＳＩ結果を測定結果（measResults）にセットし、その測定結果を測定報告（Ｍｅａｓｕｒｍｅｎｔ  ｒｅｐｏｒｔ）メッセージに含めて基地局装置２へ送信する。より具体的には、端末装置１は、トリガされた測定報告に関連する測定識別子に対して、報告するための少なくとも一つのＲＳＳＩ測定に適切な周波数（applicable frequency）がある場合、指定された最大数（maxReportFrequency）に達するまでは、測定報告メッセージに複数の適切な周波数のＲＳＳＩ結果を含めてもよい。複数の適切な周波数は、測定識別子に関連する複数の周波数でもよい。複数の周波数の測定結果を含める場合、最良のＲＳＳＩから順（すなわち、降順）に含める。例えば、トリガタイプが周期報告型である場合、直近の周期報告後に利用可能（報告可能）となった新規の測定結果に対し、少なくとも一つのＲＳＳＩ測定に適切な周波数（applicable frequency）のＲＳＳＩ結果を含める。ＲＳＳＩ測定によって得られた（適切な周波数の）ＲＳＳＩ結果は、報告設定に基づいて異なる形式で報告されてもよい。ＲＳＳＩ結果が、ある特定の設定に基づくものであれば、かかる設定に対応する識別子を同時に報告する。例えば、ＲＳＳＩ測定がＣＳＩ−ＲＳリソース測定設定に基づくものであれば、端末装置１は、測定ＣＳＩ−ＲＳリソース識別子（MeasCSI-RS-Id）をＲＳＳＩ結果と共に測定結果に含めてもよい。
【０２２５】
端末装置１は、ＲＳＳＩの測定値を平均化（レイヤ３フィルタリング）した値をＲＳＳＩ結果として測定結果に含めてもよい。ＲＳＳＩの測定結果を平均化することにより、一時的なＲＳＳＩの変動による影響を除去したＲＳＳＩの値を報告することができる。また、非ライセンスバンドがビジー状態のためにＲＳＲＰやＲＳＲＱが測定できない場合であっても、端末装置１は、ＲＳＳＩを測定することによって、非ライセンスバンドにおける信号の受信強度を基地局装置２へ報告することができる。
【０２２６】
また、端末装置１は、ＲＳＳＩの測定値のそれぞれをＲＳＳＩ閾値（RSSI threshold）と比較した結果を測定結果に含めて報告してもよい。例えば、端末装置１は、測定したＲＳＳＩの測定結果と、通知されたＲＳＳＩ閾値（RSSI threshold）とをそれぞれ比較し、ヒストグラム、または度数分布表のデータ（度数）に対応する値を集計し、集計結果を測定結果に含めて報告してもよい。すなわち、ＲＳＳＩ閾値は、ヒストグラムにおけるビン数（ビン幅）を定義する。換言すれば、ＲＳＳＩ閾値は、度数分布表の階級数を定義する。例えば、ＲＳＳＩ閾値として２つの値が通知されている場合、ヒストグラムであればビン数は３であり、度数分布表であれば階級数は３である。
【０２２７】
また、基地局装置２は、測定したＲＳＳＩをヒストグラム形式（あるいは度数分布形式）にして報告することを示す測定パラメータとして、ヒストグラム報告ＲＳＳＩ測定（reportRSSI-Hist-Meas）を明示的に報告設定に含めるようにしてもよい。ヒストグラム報告ＲＳＳＩ測定が設定（通知）された場合（例えば、値がＴＲＵＥに設定された場合）に、ＲＳＳＩ閾値と測定ＲＳＳＩ区間が有効になるように構成してもよい。あるいは、ヒストグラム報告ＲＳＳＩ測定が設定された場合にのみ、ＲＳＳＩ閾値と測定ＲＳＳＩ区間が設定（通知）されるように構成してもよい。
【０２２８】
ヒストグラム報告ＲＳＳＩ測定が設定（通知）された場合、端末装置１は、ヒストグラム形式で報告するＲＳＳＩ結果に対してレイヤ３フィルタリングを行わないようにしてもよい。例えば、端末装置１は、ヒストグラム報告ＲＳＳＩ測定が設定（通知）された場合はレイヤ３フィルタリング係数を０（ゼロ）とみなしてもよい。すなわち、レイヤ３フィルタリング係数を無視してよい。あるいは、端末装置１は、ヒストグラム報告ＲＳＳＩ測定が設定（通知）された場合、ＲＳＳＩ結果に対して、ＲＳＳＩ結果に対してレイヤ３フィルタリング係数を適用しなくてもよい。
【０２２９】
端末装置１は、ヒストグラム形式（度数分布形式）の測定報告が要求（設定）されていないときは、レイヤ３フィルタリングを適用可能な通常のＲＳＳＩ報告（第１のＲＳＳＩ報告）を行い、ヒストグラム形式（度数分布形式）の測定報告が要求（設定）されているときは、ヒストグラム形式（度数分布形式）の報告（第２のＲＳＳＩ報告）を行うようにしてもよい。端末装置１は、第２のＲＳＳＩ報告を行う場合に、第２のＲＳＳＩ報告に加えて第１のＲＳＳＩ報告を測定報告メッセージに含めて報告してもよい。
【０２３０】
端末装置１は、通常のＲＳＳＩ報告（第１のＲＳＳＩ報告）を行う場合、関連する測定対象の周波数において、測定したＲＳＳＩが報告可能となったときに、関係する測定識別子における測定報告がトリガされたと判断してもよい。または、端末装置１は、通常のＲＳＳＩ報告（第１のＲＳＳＩ報告）を行う場合、プライマリセルの測定結果が有効であり、かつ、関連する測定対象の周波数において検出された周辺セルの中から最良のセル（strongest cell）を決定したときに、関係する測定識別子における測定報告がトリガされたと判断してもよい。
【０２３１】
また、端末装置１は、ヒストグラム形式のＲＳＳＩ報告（第２のＲＳＳＩ報告）を行う場合、関連する測定対象の周波数において、測定ＲＳＳＩ区間で示された時間が経過したときに、関係する測定識別子における測定報告がトリガされたと判断してもよい。また、端末装置１は、ヒストグラム形式のＲＳＳＩ報告（第２のＲＳＳＩ報告）を行う場合、関連する測定対象の周波数において、測定ＲＳＳＩ区間で示されるＲＲＣタイマーが満了したときに、関係する測定識別子における測定報告がトリガされたと判断してもよい。
【０２３２】
ヒストグラム形式（度数分布形式）の報告についてより具体的に説明する。例えば、図５のようなＲＳＳＩ結果が測定毎に得られた場合であって、閾値１と閾値２とが通知されている場合の例について説明する。図５は、閾値１を下回るＲＳＳＩ測定値の個数は２であり、閾値１以上かつ閾値２を下回るＲＳＳＩ測定値の個数は３であり、閾値３以上のＲＳＳＩ測定値の個数は１である場合を例示している。このとき、端末装置１は、ヒストグラム形式（度数分布形式）の測定報告が要求（設定）されている場合、測定結果として、
｛ビン１、ビン２、ビン３｝＝｛２、３、１｝
という情報要素（フィールド）を測定報告メッセージに含めて基地局装置２へ送信する。
【０２３３】
端末装置１は、ヒストグラム形式（度数分布形式）の測定報告が要求（設定）されているとき、実際の測定時間（あるいは測定回数）がＲＳＳＩ測定を行う総時間（測定ＲＳＳＩ区間）に満たないときは、ヒストグラム形式のＲＳＳＩ報告を行わなくてよい。すなわち、端末装置１は、測定ＲＳＳＩ区間によって示される時間（あるいは測定回数）を満たすまでは、ＲＳＳＩ測定に適切な周波数（applicable frequency）が存在しない、あるいは、報告可能なＲＳＳＩ結果が存在しないとみなしてよい。
【０２３４】
また、端末装置１は、ヒストグラム形式でＲＳＳＩの測定を行っている場合に、他の周波数を同時に測定できない場合、その他の周波数の測定（inter-frequency measurement）について測定を行わなくてもよい。換言すれば、端末装置１は、ヒストグラム形式でＲＳＳＩの測定を行っているときと、それ以外の場合でそれぞれ異なる測定要求（measurement requirement）を適用してもよい。端末装置１は、ヒストグラム形式でＲＳＳＩの測定を行う必要のある周波数の測定要求を暗黙的に緩和してもよいし、明示的に測定要求を緩和可能であることを示す測定パラメータ（縮小測定要求（reducedMeasPerformanc））が設定された周波数に対してのみ測定要求を緩和してもよい。例えば、端末装置１は、ヒストグラム形式でＲＳＳＩの測定を行うのに必要な時間だけ、測定要求の時間を緩和（延長）してもよい。あるいは、端末装置１は、ヒストグラム形式でＲＳＳＩの測定を行う必要のある周波数の測定を優先的に行い、その他の周波数の測定要求を緩和してもよい。
【０２３５】
図６は、本発明の実施形態に係る報告設定に関するパラメータの別の例を説明するための別の図である。基地局装置２は、報告ＲＳＳＩ周波数リスト（reportRSSI-FreqList）を報告設定に含めて端末装置１に送信（通知）してもよい。
【０２３６】
報告ＲＳＳＩ周波数リスト（reportRSSI-FreqList）には、一つまたは複数（１〜ｍ（ｍは整数））の搬送波周波数（carrierFreq）を含めることができる。端末装置１は、測定対象が測定対象EUTRAであり、かつ、報告設定に報告ＲＳＳＩ周波数リストに関する測定パラメータ含まれている場合に、報告ＲＳＳＩ周波数リストで示される搬送波周波数を、ＲＳＳＩ測定に適切な周波数（applicable frequency）であると判断してもよい。すなわち、端末装置１は、報告設定の報告ＲＳＳＩ周波数リスト（reportRSSI-FreqList）に含まれる搬送波周波数（carrierFreq）のそれぞれを、ＲＳＳＩ測定に適切な周波数（applicable frequency）であると判断してもよい。
【０２３７】
端末装置１は、報告ＲＳＳＩ周波数リストが設定された場合、何らかの測定報告がトリガされたときに、報告ＲＳＳＩ周波数リストで示される周波数のＲＳＳＩを一緒に報告してもよい。または、端末装置１は、報告ＲＳＳＩ周波数リストが設定された場合、ＲＳＳＩに関する測定報告がトリガされたときに、報告ＲＳＳＩ周波数リストで示される周波数のＲＳＳＩを一緒に報告してもよい。このとき、端末装置１は、報告するＲＳＳＩを降順（すなわち、ＲＳＳＩのｄＢｍの強い順）に並べ替えて報告してもよい。端末装置１は、測定したＲＳＳＩのうち、報告するＲＳＳＩをある数（例えば３周波数）に制限して報告してもよい。報告するＲＳＳＩ（周波数）の数（maxReportFrequencies）は、基地局装置２からＲＲＣメッセージで報告設定の別のパラメータとして通知されてもよい。
【０２３８】
端末装置１は、報告ＲＳＳＩ周波数リストで示される周波数がセカンダリセルの周波数の場合、関連するセカンダリセルが活性化状態であれば、関連する測定対象に含まれるディスカバリ信号測定タイミング設定を適用せずにＣＲＳのＲＳＲＰとＲＳＲＱを測定し、関連するセカンダリセルが不活性化状態であれば、関連する測定対象に含まれるディスカバリ信号測定タイミング設定を適用し、ディスカバリ信号期間内のＣＲＳのＲＳＲＰとＲＳＲＱを測定する。なお、端末装置１は、端末装置１がＣＲＳベースのディスカバリ信号測定をサポートしており、かつ、関連するセカンダリセルが不活性化状態の場合、セカンダリセルのＣＲＳのＲＳＲＰとＲＳＲＱを測定するときにディスカバリ信号測定タイミング設定を適用してもよい。
【０２３９】
また、端末装置１は、報告ＲＳＳＩ周波数リストで示される周波数がセカンダリセルの周波数の場合、関連するセカンダリセルの状態（活性化状態、不活性化状態）に関わらず、常に関連する測定対象に含まれるディスカバリ信号測定タイミング設定を適用し、ディスカバリ信号期間内のＲＳＳＩを測定してもよい。また、端末装置１は、報告ＲＳＳＩ周波数リストで示される周波数が非サービング周波数の場合、関連する測定対象に含まれるディスカバリ信号測定タイミング設定を適用し、ディスカバリ信号期間内のＲＳＳＩを測定してもよい。なお、端末装置１は、ディスカバリ信号測定タイミング設定が関連する測定対象に含まれていない場合、上述した手順を行わなくてよい。
【０２４０】
本実施形態の端末装置１は、ＲＳＳＩを測定する周波数、および、その周波数におけるＲＳＳＩ測定の測定時間（測定区間）について、基地局装置２からＲＲＣメッセージによって通知（設定）されたＲＳＳＩ測定に関する測定パラメータに基づいて適切に判断（決定、推定）することができる。また、端末装置１は、ＲＳＳＩ測定に関する測定パラメータに基づいて一つまたは複数の周波数のＲＳＳＩを測定し、その測定結果を測定報告メッセージに含めて送信することができる。これにより、端末装置１は、ビジー状態のためにＲＳＲＰまたはＲＳＲＱが測定できない場合であっても、測定対象、または報告設定で示されるＲＳＳＩに関する測定パラメータに基づいて、一つまたは複数の周波数のＲＳＳＩ測定を効率的に行うことが可能となる。
【０２４１】
本実施形態の基地局装置２は、端末装置１に対し、ＲＳＳＩを測定する周波数、および、その周波数におけるＲＳＳＩ測定の測定時間（測定区間）を一意に判断（決定、推測）させるための、ＲＳＳＩ測定に関する測定パラメータをＲＲＣメッセージで通知（設定）することができる。また、基地局装置２は、端末装置１から適切なＲＳＳＩの測定結果を含む測定報告メッセージを受信することができる。また、基地局装置２は、ビジー状態のためにＲＳＲＰまたはＲＳＲＱが測定できない場合であっても、測定対象、または報告設定で示されるＲＳＳＩに関する測定パラメータを端末装置１に送信することによって、端末装置１にＲＳＳＩ報告が必要な周波数を判断させ、かかる周波数においてＲＳＳＩ測定を行わせることができるため、端末装置１に対して効率的な測定方法を提供することができる。
【０２４２】
＜第２の実施形態＞
本発明の第２の実施形態について以下に説明する。
【０２４３】
第１の実施形態では、複数のＲＳＳＩ報告を測定報告に含めるために、報告設定に報告ＲＳＳＩ周波数リスト（reportRSSI-FreqList）を含める例を示した。しかしながら、EUTRAにおいて、一つの測定対象が一つの周波数に対応するという設定方法を考慮すると、一つの測定識別子（measId）で複数の周波数（すなわち、測定対象）を取り扱うように拡張するほうがよい。この拡張方法の例について以下に示す。本実施形態に用いる端末装置１と基地局装置２の構成は、それぞれ図１と図２と同じ構成で良いため説明を省略する。
【０２４４】
図７は、一つの報告設定識別子（reportConfigId #1）と、複数の測定対象識別子（measObjectId #1〜#n）とが、一つの測定識別子（measId #1）によってリンクされることを示している。報告設定と測定対象の対応関係（リンク）は、基地局装置２によって個別に通知（設定）される。
【０２４５】
図７に示す識別子の対応づけがなされた場合、ある測定対象識別子（例えばmeasObjectId #1）を削除したときに、関連する測定識別子（例えばmeasId #1）にリンクしている別の測定対象識別子（measObjectId #2）が存在するならば、端末装置１は、関連する測定識別子（measId #1）を除去（remove）しなくてよい。
【０２４６】
このとき、端末装置１は、それぞれの測定識別子（measId）に対し、関連するそれぞれの測定対象が測定対象EUTRAであり、かつ、関連する報告設定にＲＳＳＩ測定に関するパラメータが含まれている場合に、その関連する報告設定に関連する一つまたは複数の測定対象の周波数を、ＲＳＳＩ測定に適切な周波数（applicable frequency（applicable setof frequencies））であると判断してもよい。
【０２４７】
例えば、端末装置１は、それぞれの測定識別子（measId）に対し、関連する報告設定に報告ＲＳＳＩ測定（reportRSSI-Meas）が設定されている場合、関連する一つまたは複数の測定対象の周波数を、ＲＳＳＩ測定に適切な周波数（applicable frequency（applicable set of frequencies））であると判断してもよい。また、例えば、端末装置１は、それぞれの測定識別子（measId）に対し、関連する報告設定にＲＳＳＩに関する測定イベントが設定されている場合、関連する一つまたは複数の測定対象の周波数を、ＲＳＳＩ測定に適切な周波数（applicable frequency（applicable set of frequencies））であると判断してもよい。
【０２４８】
図８は、新規のパラメータとして、測定対象リスト識別子（measObjectList-Id）を追加した場合の測定設定の例を示している。測定対象リスト識別子（measObjectList-Id）には、一つまたは複数の測定対象識別子（図８の例ではmeasObjectId #1〜#n）を含めることができる。図８は、一つの報告設定識別子（reportConfigId #1）と、一つの測定対象リスト識別子（measObjectList-Id #1）とが、一つの測定識別子（measId #1）によってリンクされることを示している。報告設定と測定対象リストの対応関係（リンク）は、基地局装置２によって個別に通知（設定）される。
【０２４９】
このとき、端末装置１は、それぞれの測定識別子（measId）に対し、関連する測定対象リストに含まれる測定対象が測定対象EUTRAであり、かつ、関連する報告設定にＲＳＳＩ測定に関する測定パラメータが含まれている場合に、その関連する報告設定に関連する測定対象リストに含まれる一つまたは複数の測定対象の周波数を、ＲＳＳＩ測定に適切な周波数（applicable frequency（applicable set of frequencies））であると判断してもよい。
【０２５０】
例えば、端末装置１は、それぞれの測定識別子（measId）に対し、関連する報告設定に報告ＲＳＳＩ測定（reportRSSI-Meas）が設定されている場合、関連する測定対象リストに含まれる一つまたは複数の測定対象の周波数を、ＲＳＳＩ測定に適切な周波数（applicable frequency（applicable set of frequencies））であると判断してもよい。また、例えば、端末装置１は、それぞれの測定識別子（measId）に対し、関連する報告設定にＲＳＳＩに関する測定イベントが設定されている場合、関連する測定対象リストに含まれる一つまたは複数の測定対象の周波数を、ＲＳＳＩ測定に適切な周波数（applicable frequency（applicable set of frequencies））であると判断してもよい。
【０２５１】
図９は、他の測定対象を示す測定対象識別子（measObjectId）を含められるように拡張した測定対象の例を示している。測定対象には、一つまたは複数の測定対象識別子（図９の例ではMeasObjectId #1〜#n）を含めることができる。一つの報告設定と一つの測定対象は、一つの測定識別子（measId #1）によってリンクされる。報告設定と測定対象EUTRAバンドの対応関係（リンク）は、基地局装置２によって個別に通知（設定）される。
【０２５２】
このとき、端末装置１は、それぞれの測定識別子（measId）に対し、関連する測定対象に含まれる測定対象識別子が測定対象EUTRAであり、かつ、関連する報告設定にＲＳＳＩ測定に関する測定パラメータが含まれている場合に、関連する測定対象の周波数、および、その関連する報告設定に関連する測定対象に含まれる一つまたは複数の測定対象識別子に関連する測定対象の周波数を、ＲＳＳＩ測定に適切な周波数（applicable frequency（applicable set of frequencies））であると判断してもよい。
【０２５３】
例えば、端末装置１は、それぞれの測定識別子（measId）に対し、関連する報告設定に報告ＲＳＳＩ測定（reportRSSI-Meas）が設定されている場合、関連する測定対象の周波数、および、その関連する測定対象に含まれる一つまたは複数の測定対象識別子に関連する測定対象の周波数を、ＲＳＳＩ測定に適切な周波数（applicable frequency（applicable set of frequencies））であると判断してもよい。また、例えば、端末装置１は、それぞれの測定識別子（measId）に対し、関連する報告設定にＲＳＳＩに関する測定イベントが設定されている場合、関連する測定対象の周波数、および、その関連する測定対象に含まれる一つまたは複数の測定対象識別子に関連する測定対象の周波数を、ＲＳＳＩ測定に適切な周波数（applicable frequency（applicable set of frequencies））であると判断してもよい。
【０２５４】
図１０は、測定対象として、EUTRAのバンド（周波数バンド）を意味する測定対象EUTRAバンド（measObjectEUTRA-Band）を新規パラメータとして追加した場合の測定対象の例を示している。測定対象EUTRAバンド（measObjectEUTRA-Band）には、一つまたは複数の測定対象EUTRA（図１０の例ではMeasObjectEUTRA #3〜#n）を含めることができる。一つの報告設定と一つの測定対象EUTRAバンドは、一つの測定識別子（measId #1）によってリンクされる。報告設定と測定対象EUTRAバンドの対応関係（リンク）は、基地局装置２によって個別に通知（設定）される。
【０２５５】
このとき、端末装置１は、それぞれの測定識別子（measId）に対し、関連する測定対象EUTRAバンドに含まれる測定対象が測定対象EUTRAであり、かつ、関連する報告設定にＲＳＳＩ測定に関する測定パラメータが含まれている場合に、その関連する報告設定に関連する測定対象EUTRAバンドに含まれる一つまたは複数の測定対象の周波数を、ＲＳＳＩ測定に適切な周波数（applicable frequency（applicable set of frequencies））であると判断してもよい。
【０２５６】
例えば、端末装置１は、それぞれの測定識別子（measId）に対し、関連する報告設定に報告ＲＳＳＩ測定（reportRSSI-Meas）が設定されている場合、関連する測定対象EUTRAバンドに含まれる一つまたは複数の測定対象の周波数を、ＲＳＳＩ測定に適切な周波数（applicable frequency（applicable set of frequencies））であると判断してもよい。また、例えば、端末装置１は、それぞれの測定識別子（measId）に対し、関連する報告設定にＲＳＳＩに関する測定イベントが設定されている場合、測定対象EUTRAバンドに含まれる一つまたは複数の測定対象の周波数を、ＲＳＳＩ測定に適切な周波数（applicable frequency（applicable set of frequencies））であると判断してもよい。
【０２５７】
本実施形態の端末装置１は、一つまたは複数のＲＳＳＩ測定に適切な周波数を、基地局装置２からＲＲＣメッセージによって通知（設定）されるＲＳＳＩ測定に関する測定パラメータに基づいて適切に判断（決定、推定）することができる。また、端末装置１は、一つの測定識別子に対し、一つまたは複数の周波数のＲＳＳＩを測定し、その測定結果を測定報告メッセージに含めて送信することができる。これにより、端末装置１は、ビジー状態のためにＲＳＲＰまたはＲＳＲＱが測定できない場合であっても、測定対象、または報告設定で示されるＲＳＳＩに関する測定パラメータに基づいて、一つまたは複数の周波数のＲＳＳＩ測定を効率的に行うことが可能となる。
【０２５８】
本実施形態の基地局装置２は、端末装置１に対し、一つまたは複数のＲＳＳＩ測定に適切な周波数を一意に判断（決定、推測）させるための、ＲＳＳＩ測定に関する測定パラメータをＲＲＣメッセージで通知（設定）することができる。また、基地局装置２は、一つの測定識別子に対して測定された一つまたは複数の周波数のＲＳＳＩの測定結果を含む測定報告メッセージを受信することができる。また、基地局装置２は、ビジー状態のためにＲＳＲＰまたはＲＳＲＱが測定できない場合であっても、測定対象、または報告設定で示されるＲＳＳＩに関する測定パラメータを端末装置１に送信することによって、端末装置１にＲＳＳＩ報告が必要な一つまたは複数の周波数を判断させ、かかる周波数においてＲＳＳＩ測定を行わせることができるため、端末装置１に対して効率的な測定方法を提供することができる。
【０２５９】
なお、以上説明した実施形態は単なる例示に過ぎず、様々な変形例、置換例を用いて実現することができる。例えば、使用される送信方式は、ＦＤＤ（周波数分割復信、Frequency Division Duplex）方式、ＴＤＤ（時分割復信、Time Division Duplex）方式、あるいは両方の送信方式を周波数毎に用いるような通信システムに対しても適用可能である。また、実施形態で示される各パラメータや種々の動作に関する名称は、説明の便宜上呼称しているものであって、実際に適用される名称と本発明の実施形態の名称とが異なっていても、本発明の実施形態において主張する発明の趣旨に影響するものではない。
【０２６０】
また、各実施形態で用いた「接続」とは、ある装置と別のある装置とを、物理的な回線を用いて直接接続される構成にだけ限定されるわけではなく、論理的に接続される構成や、同一または異なる無線技術を介して無線接続される構成を含む。
【０２６１】
また、具体的な数値を用いて説明された内容は、説明の便宜上用いた単なる数値の一例に過ぎず、適切な如何なる値が適用されてよい。
【０２６２】
また、各実施形態で用いたエンティティー（entity）はサブレイヤ（sublayer）と同義とみなしてよい。すなわち、ＲＲＣエンティティー、ＰＤＣＰエンティティー、ＲＬＣエンティティー、ＭＡＣエンティティーは、それぞれ、ＲＲＣサブレイヤ、ＰＤＣＰサブレイヤ、ＲＬＣサブレイヤ、ＭＡＣサブレイヤに置き換えて説明することができる。
【０２６３】
また、端末装置１とは、可搬型あるいは可動型の移動局装置のみならず、屋内外に設置される据え置き型、または非可動型の電子機器、たとえば、ＡＶ機器、キッチン機器、掃除・洗濯機器、空調機器、オフィス機器、自動販売機、その他生活機器や測定機器、車載装置、さらに身に着けることが可能なウェアラブル機器やヘルスケア機器などに対し通信機能を搭載したものを含む。また、端末装置１は、機器対機器の通信（Ｍａｃｈｉｎｅ  Ｔｙｐｅ  Ｃｏｍｍｕｎｉｃａｔｉｏｎ、マシンタイプ通信）だけではなく、人対人、人対機器、車対人、車対車、路面の建造物対車（路車間）の通信に用いられてもよい。
【０２６４】
また、端末装置１は、ユーザ端末、移動局装置、通信端末、移動機、端末、ＵＥ（Ｕｓｅｒ  Ｅｑｕｉｐｍｅｎｔ）、ＭＳ（Ｍｏｂｉｌｅ  Ｓｔａｔｉｏｎ）とも称される。基地局装置２は、無線基地局装置、基地局、無線基地局、固定局、ＮＢ（ＮｏｄｅＢ）、ｅＮＢ（ｅｖｏｌｖｅｄ  ＮｏｄｅＢ）、ＢＴＳ（Ｂａｓｅ  Ｔｒａｎｓｃｅｉｖｅｒ  Ｓｔａｔｉｏｎ）、ＢＳ（Ｂａｓｅ  Ｓｔａｔｉｏｎ）とも称される。
【０２６５】
また、基地局装置２は、３ＧＰＰが規定するＵＭＴＳにおいてＮＢと称され、ＥＵＴＲＡおよびＡｄｖａｎｃｅｄ  ＥＵＴＲＡにおいてｅＮＢと称される。なお、３ＧＰＰが規定するＵＭＴＳ、ＥＵＴＲＡおよびＡｄｖａｎｃｅｄ  ＥＵＴＲＡにおける端末装置１はＵＥと称される。
【０２６６】
また、説明の便宜上、機能的なブロック図を用いて、端末装置１および基地局装置２の各部の機能またはこれらの機能の一部を実現するための方法、手段、またはアルゴリズムのステップについて具体的に組み合わせて記載したが、これらは、ハードウェア、プロセッサによって実行されるソフトウェアモジュール、または、これらを組み合わせたものによって、直接的に具体化され得る。
【０２６７】
もしハードウェアによって実装されるのであれば、端末装置１および基地局装置２は説明したブロック図の構成以外に端末装置１および基地局装置２へ電力を供給する給電装置やバッテリー、液晶などのディスプレイ装置およびディスプレイ駆動装置、メモリ、入出力インターフェースおよび入出力端子、スピーカー、その他の周辺装置の組み合わせによって構成されてもよい。
【０２６８】
もしソフトウェアによって実装されるのであれば、その機能は、コンピュータ読み取り可能な媒体上の一つ以上の命令またはコードとして保持され、または伝達され得る。コンピュータ読み取り可能な媒体は、コンピュータプログラムをある場所から別の場所への持ち運びを助ける媒体を含むコミュニケーションメディアやコンピュータ記録メディアの両方を含む。
【０２６９】
そして、一つ以上の命令またはコードをコンピュータ読み取り可能な記録媒体に記録し、この記録媒体に記録された一つ以上の命令またはコードをコンピュータシステムに読み込ませ、実行することにより端末装置１や基地局装置２の制御を行なってもよい。なお、ここでいう「コンピュータシステム」とは、ＯＳや周辺機器等のハードウェアを含むものとする。
【０２７０】
本発明の各実施形態に記載の動作をプログラムで実現してもよい。本発明の各実施形態に関わる端末装置１および基地局装置２で動作するプログラムは、本発明の各実施形態に関わる上記実施形態の機能を実現するように、ＣＰＵ等を制御するプログラム（コンピュータを機能させるプログラム）である。そして、これら装置で取り扱われる情報は、その処理時に一時的にＲＡＭに蓄積され、その後、各種ＲＯＭやＨＤＤに格納され、必要に応じてＣＰＵによって読み出し、修正・書き込みが行なわれる。
【０２７１】
また、プログラムを実行することにより、上述した実施形態の機能が実現されるだけでなく、そのプログラムの指示に基づき、オペレーティングシステムあるいは他のアプリケーションプログラム等と共同して処理することにより、本発明の各実施形態の機能が実現される場合もある。
【０２７２】
また、「コンピュータ読み取り可能な記録媒体」とは、半導体媒体（例えば、ＲＡＭ、不揮発性メモリカード等）、光記録媒体（例えば、DVD、MO、MD、CD、BD等）、磁気記録媒体（例えば、磁気テープ、フレキシブルディスク等）等の可搬媒体、コンピュータシステムに内蔵されるディスクユニット等の記憶装置のことをいう。さらに、「コンピュータ読み取り可能な記録媒体」とは、インターネット等のネットワークや電話回線等の通信回線を介してプログラムを送信する場合の通信線のように、短時間の間、動的にプログラムを保持するもの、その場合のサーバやクライアントとなるコンピュータシステム内部の揮発性メモリのように、一定時間プログラムを保持しているものも含むものとする。
【０２７３】
また、上記プログラムは、前述した機能の一部を実現するためのものであっても良く、さらに、前述した機能をコンピュータシステムに既に記録されているプログラムとの組み合わせで実現できるものであっても良い。
【０２７４】
また、上記各実施形態に用いた端末装置１および基地局装置２の各機能ブロック、または諸特徴の一部、または全部は、少なくとも本明細書で述べられた機能を発揮できるように設計された汎用用途プロセッサ、デジタルシグナルプロセッサ（ＤＳＰ）、特定用途向けの集積回路（ＡＳＩＣ）あるいは一般用途向けの任意の集積回路（ＩＣ）、フィールドプログラマブルゲートアレイシグナル（ＦＰＧＡ）、またはその他のプログラマブル論理デバイス、ディスクリートゲートまたはトランジスタロジック、ディスクリートハードウェア部品、またはこれらを組み合わせたものによって実現（実行）してもよい。
【０２７５】
また、上述した実施形態における端末装置１、基地局装置２の各機能ブロック、または諸特徴の一部、または全部は、少なくとも本明細書で述べられた機能を発揮できるように設計された電気回路、典型的には集積回路であるＬＳＩとして実現（実行）してもよいし、チップセットとして実現（実行）してもよい。なおチップセットは、アンテナ、受動部品、など、その他の部品を含む構成であってもよい。端末装置１、基地局装置２の各機能ブロックは個別にチップ化してもよいし、一部、または全部を集積してチップ化してもよい。また、集積回路化の手法はＬＳＩに限らず専用回路、または汎用用途プロセッサで実現しても良い。また、半導体技術の進歩によりＬＳＩに代替する集積回路化の技術が出現した場合、当該技術による集積回路を用いることも可能である。 
【０２７６】
汎用用途プロセッサは、マイクロプロセッサであっても良いが、代わりにプロセッサは従来型のプロセッサ、コントローラ、マイクロコントローラ、またはステートマシンであっても良い。汎用用途プロセッサ、または上述した各回路は、デジタル回路で構成されていてもよいし、アナログ回路で構成されていてもよいし、その両方を含んでいてもよい。
【０２７７】
プロセッサはまた、コンピューティングデバイスを組み合わせたものとして実装されてもよい。例えば、ＤＳＰとマイクロプロセッサ、複数のマイクロプロセッサ、ＤＳＰコアと接続された一つ以上のマイクロプロセッサ、またはその他のそのような構成を組み合わせたものであってもよい。
【０２７８】
以上、この発明の実施形態について具体例に基づいて詳述してきたが、本発明の各実施形態の趣旨ならびに特許請求の範囲は、これらの具体例に限定されないことは明らかであり、この発明の要旨を逸脱しない範囲の設計変更等も含まれる。すなわち、本明細書の記載は例示説明を目的としたものであり、本発明の各実施形態に対して何ら制限を加えるものではない。
【０２７９】
また、本発明は、請求項に示した範囲で種々の変更が可能であり、異なる実施形態にそれぞれ開示された技術的手段を適宜組み合わせて得られる実施形態についても本発明の技術的範囲に含まれる。また、上記各実施形態に記載された要素であり、同様の効果を奏する要素同士を置換した構成も本発明の技術的範囲に含まれる。
【０２８０】
[まとめ]
以上のように、本発明の実施形態における端末装置は、端末装置であって、設定されたそれぞれの測定識別子に対して、関連する報告設定にＲＳＳＩ報告に関する情報が含まれている場合、前記報告設定に関連する測定対象で示される一つまたは複数の周波数において、前記測定対象に含まれる測定タイミング設定を設定し、前記測定タイミング設定で示されるＲＳＳＩ測定に適切なリソースにおいてＲＳＳＩ測定を行う。
【０２８１】
また、本発明の実施形態における端末装置において、前記適切なリソースは、前記測定識別子に関連する複数の測定対象によって示される。
【０２８２】
また、本発明の実施形態における基地局装置は、基地局装置であって、ＲＳＳＩ報告に関する情報を含む報告設定と、ＲＳＳＩ測定が行われる適切なリソースを示す測定対象であって、一つまたは複数の周波数に対応する測定タイミング設定を含む前記測定対象と、前記報告設定と前記測定対象をリンクする測定識別子とを通知する。
【０２８３】
また、本発明の実施形態における基地局装置において、前記適切なリソースは、前記測定識別子に関連する複数の測定対象によって示される。
【０２８４】
また、本発明の実施形態における端末装置の通信方法は、端末装置の通信方法であって、設定されたそれぞれの測定識別子に対して、関連する報告設定にＲＳＳＩ報告に関する情報が含まれている場合、前記報告設定に関連する測定対象で示される一つまたは複数の周波数において、前記測定対象に含まれる測定タイミング設定を設定するステップと、前記測定タイミング設定で示されるＲＳＳＩ測定に適切なリソースにおいてＲＳＳＩ測定を行うステップと、を少なくとも含む。
【０２８５】
また、本発明の実施形態における端末装置の通信方法において、前記適切なリソースは、前記測定識別子に関連する複数の測定対象によって示される。
【０２８６】
また、本発明の実施形態における基地局装置の通信方法は、基地局装置の通信方法であって、ＲＳＳＩ報告に関する情報を含む報告設定と、ＲＳＳＩ測定が行われる適切なリソースを示す測定対象であって、一つまたは複数の周波数に対応する測定タイミング設定を含む前記測定対象と、前記報告設定と前記測定対象をリンクする測定識別子とを通知するステップを少なくとも含む。
【０２８７】
また、本発明の実施形態における基地局装置の通信方法において、前記適切なリソースは、前記測定識別子に関連する複数の測定対象によって示される。
【０２８８】
また、本発明の実施形態における端末装置に搭載される集積回路は、端末装置に搭載される集積回路であって、設定されたそれぞれの測定識別子に対して、関連する報告設定にＲＳＳＩ報告に関する情報が含まれている場合、前記報告設定に関連する測定対象で示される一つまたは複数の周波数において、前記測定対象に含まれる測定タイミング設定を設定する機能と、前記測定タイミング設定で示されるＲＳＳＩ測定に適切なリソースにおいてＲＳＳＩ測定を行う機能と、を少なくとも前記端末装置に発揮させる。
【０２８９】
また、本発明の実施形態における端末装置に搭載される集積回路において、前記適切なリソースは、前記測定識別子に関連する複数の測定対象によって示される。
【０２９０】
また、本発明の実施形態における基地局装置に搭載される集積回路は、基地局装置に搭載される集積回路であって、ＲＳＳＩ報告に関する情報を含む報告設定と、ＲＳＳＩ測定が行われる適切なリソースを示す測定対象であって、一つまたは複数の周波数に対応する測定タイミング設定を含む前記測定対象と、前記報告設定と前記測定対象をリンクする測定識別子とを通知する機能を少なくとも前記基地局装置に発揮させる。
【０２９１】
また、本発明の実施形態における基地局装置に搭載される集積回路において、前記適切なリソースは、前記測定識別子に関連する複数の測定対象によって示される。
【０２９２】
[関連出願の相互参照]
本出願は、2015年07月22日に出願された日本国特許出願：特願2015-144726に対して優先権の利益を主張するものであり、それを参照することにより、その内容の全てが本書に含まれる。
【符号の説明】
【０２９３】
１…端末装置
２、２−１、２−２…基地局装置
１０１、２０１…受信部
１０２、２０２…復調部
１０３、２０３…復号部
１０４、２０４…受信データ制御部
１０５、２０５…物理レイヤ制御部
１０６、２０６…送信データ制御部
１０７、２０７…符号部
１０８、２０８…変調部
１０９、２０９…送信部
１１０、２１０…無線リソース制御部
２１１…ネットワーク信号送受信部
Ｒ０１、Ｒ０２…受信アンテナ部
Ｔ０１、Ｔ０２…送信アンテナ部
【図１】
2017014229.tif 000003
【図２】
2017014229.tif 000004
【図３】
2017014229.tif 000005
【図４】
2017014229.tif 000006
【図５】
2017014229.tif 000007
【図６】
2017014229.tif 000008
【図７】
2017014229.tif 000009
【図８】
2017014229.tif 000010
【図９】
2017014229.tif 000011
【図１０】
2017014229.tif 000012
【図１１】
2017014229.tif 000013
【図１２】
2017014229.tif 000014
【図１３】
2017014229.tif 000015
【国際調査報告】
2017014229.tif 000016
2017014229.tif 000017
2017014229.tif 000018